(57)【要約】【課題】最新のＤＤＳおよび最新の欠陥リストを容易に探索することができる追記型情報記録媒体が提供される。【解決手段】本発明の追記型情報記録媒体には、少なくとも１つの欠陥管理作業領域が所定の方向に沿って順に割り付けられており、最新の欠陥リストと最新のＤＤＳとは、この所定の方向に沿って、最新の欠陥リスト、最新のＤＤＳの順に、記録済み欠陥管理作業領域と未記録欠陥管理作業領域との境界に隣接する記録済み欠陥管理作業領域に配置されている。【選択図】図２
2010244684.tif 000002
【特許請求の範囲】
【請求項１】
少なくとも１つのディスク管理作業領域が所定の方向に沿って順に割り付けられる追記型情報記録媒体であって、
前記少なくとも１つのディスク管理作業領域には、前記追記型情報記録媒体に関する管理情報であるディスク管理情報と、前記ディスク管理情報に関する位置情報を含むディスク定義構造とが配置され、
最新のディスク管理情報と最新のディスク定義構造とは、前記所定の方向に沿って、前記最新のディスク管理情報、前記最新のディスク定義構造の順に配置され、
前記最新のディスク管理情報は、記録済みディスク管理作業領域と未記録ディスク管理作業領域との境界に隣接する記録済みディスク管理作業領域に配置されたディスク管理情報であり、
前記最新のディスク定義構造は、前記最新のディスク管理情報に関する位置情報を含むディスク定義構造であり、
前記最新のディスク定義構造は、前記境界に隣接する記録済みディスク管理作業領域の所定の位置に配置され、
前記所定の位置は、前記境界を基準に算出可能であり、
前記ディスク管理情報は可変長であり、
前記ディスク管理作業領域は、複数のブロックを含み、前記ブロックは、データを記録再生する単位であり、前記ディスク管理情報と前記ディスク定義構造とは、前記複数のブロックのうち、互いに異なるブロックに配置されるか、
もしくは、前記ディスク管理作業領域は、１つ以上の前記ブロックを含み、前記ディスク管理情報と前記ディスク定義構造とは、前記１つ以上のブロックのうちの少なくとも１つを共有するように配置される、追記型情報記録媒体。
【請求項２】
追記型情報記録媒体に情報を記録する記録装置であって、
前記追記型情報記録媒体は、
少なくとも１つのディスク管理作業領域が所定の方向に沿って順に割り付けられる媒体であり、
前記ディスク管理作業領域は、前記追記型情報記録媒体に関する管理情報であるディスク管理情報と、前記ディスク管理情報に関する位置情報を含むディスク定義構造とが配置される領域であり、前記ディスク管理情報は可変長であり、
前記記録装置は、
記録済みディスク管理作業領域と未記録ディスク管理作業領域との境界に隣接する未記録ディスク管理作業領域に、前記ディスク管理情報を記録するディスク管理情報記録手段と、
前記所定の方向に沿って、前記ディスク管理情報に続けて、前記境界に隣接する未記録ディスク管理作業領域の所定の位置に、前記ディスク定義構造を記録するディスク定義構造記録手段と、
を備え、
前記所定の位置は、前記所定の方向に沿って前記ディスク管理作業領域の末尾を基準に算出可能であり、
前記ディスク管理作業領域は、複数のブロックを含み、前記ブロックは、データを記録再生する単位であり、前記ディスク管理情報と前記ディスク定義構造とを、前記複数のブロックのうち、互いに異なるブロックに配置するか、
もしくは、前記ディスク管理作業領域は、１つ以上の前記ブロックを含み、前記ディスク管理情報と前記ディスク定義構造とを、前記１つ以上のブロックのうちの少なくとも１つを共有するように配置する、記録装置。
【請求項３】
追記型情報記録媒体に記録された情報を再生する再生装置であって、
前記追記型情報記録媒体は、
少なくとも１つのディスク管理作業領域が所定の方向に沿って順に割り付けられる媒体であり、
前記ディスク管理作業領域は、前記追記型情報記録媒体に関する管理情報であるディスク管理情報と、前記ディスク管理情報に関する位置情報を含むディスク定義構造とが配置される領域であり、前記ディスク管理情報は可変長であり、
前記ディスク管理作業領域は、複数のブロックを含み、前記ブロックは、データを記録再生する単位であり、前記ディスク管理情報と前記ディスク定義構造とは、前記複数のブロックのうち、互いに異なるブロックに配置されるか、
もしくは、前記ディスク管理作業領域は、１つ以上の前記ブロックを含み、前記ディスク管理情報と前記ディスク定義構造とは、前記１つ以上のブロックのうちの少なくとも１つを共有するように配置されており、
前記再生装置は、
記録済みディスク管理作業領域と未記録ディスク管理作業領域との境界に隣接する記録済みディスク管理作業領域に配置されたディスク管理情報である、最新のディスク管理情報を再生するディスク管理情報再生手段と、
前記所定の方向に沿って、前記最新のディスク管理情報に続けて、前記境界に隣接する記録済みディスク管理作業領域の所定の位置に配置されている、前記最新のディスク管理情報に関する位置情報を含むディスク定義構造である、最新のディスク定義構造を再生するディスク定義構造再生手段と、
を備え、
前記ディスク定義構造再生手段は、前記境界を基準に算出可能である前記所定の位置に基づいて、前記最新のディスク定義構造を再生し、
前記ディスク管理情報再生手段は、前記最新のディスク定義構造に基づいて、前記最新のディスク管理情報を再生する、再生装置。
【請求項４】
請求項１に記載の情報再生方法によって再生される追記型情報記録媒体、もしくは、再生装置。
【発明の詳細な説明】
【技術分野】
【０００１】
本発明は、追記型情報記録媒体、追記型情報記録媒体に情報を記録する情報記録方法、追記型情報記録媒体から情報を再生する情報再生方法、追記型情報記録媒体に情報を記録する情報記録装置および追記型情報記録媒体から情報を再生する情報再生装置に関する。
【背景技術】
【０００２】
近年、大容量で交換可能な情報記録媒体、および大容量で交換可能な情報記録媒体を扱うディスクドライブ装置が普及している。大容量で交換可能な情報記録媒体として、光ディスク（例えば、ＤＶＤ）が良く知られている。
【０００３】
光ディスク対応の光ディスクドライブ装置は、レーザ光によって光ディスクに微小なピットを形成することによって情報を記録再生するため、大容量で交換可能な情報記録に適している。しかし、光ディスクは交換可能な情報記録媒体であるため、埃や傷などによってその記録面に欠陥が存在する。
【０００４】
したがって、光ディスクドライブ装置によって、記録再生データの信頼性保証のために欠陥管理を行う必要がある。
【０００５】
従来の欠陥管理方法として、書換え型光ディスクの内周側と外周側との所定の位置にそれぞれ２個ずつ（合計４つ）の欠陥管理領域（ＤＭＡ）を割り付け、欠陥管理情報が更新された場合に、これらの欠陥管理領域に新規欠陥管理情報を上書きする方法がある（例えば、特許文献１参照）。
【０００６】
図２３は、従来の書換え型光ディスク４００のデータ構造を示す。
【０００７】
データ領域５は、ユーザデータが記録再生されるユーザデータ領域１６と、ユーザデータ領域１６に存在する欠陥ブロックの代わりに用いるブロック（以下、「交替ブロック」と記載する。）として予め用意されたスペア領域１７とを含む。
【０００８】
リードイン領域４とリードアウト領域６とは、データ領域５に存在する欠陥ブロックの情報等を書き込むための欠陥管理領域を含む。リードイン領域４は、第１の欠陥管理領域１０（以下、「ＤＭＡ１」と記載する。）と第２の欠陥管理領域１１（以下、「ＤＭＡ２」と記載する。）とを含む。リードアウト領域６は、第３の欠陥管理領域１２（以下、「ＤＭＡ３」と記載する。）と第４の欠陥管理領域１３（以下、「ＤＭＡ４」と記載する。）とを含む。
【０００９】
ＤＭＡ１〜ＤＭＡ４の各々は、所定の位置に配置されており、ＤＭＡ１〜ＤＭＡ４の各々のサイズは固定長である。ＤＭＡ１〜ＤＭＡ４の各々に配置される管理情報のサイズは、欠陥ブロックの個数に応じて可変長である。なお、ＤＭＡ１〜ＤＭＡ４には、全て同じ情報が多重記録されている。ＤＭＡ１〜ＤＭＡ４自身が欠陥に冒される場合の備えのためである。例えば、正しく再生されないＤＭＡがあったとしても、ＤＭＡ１〜ＤＭＡ４のうちのいずれか１つが正しく再生できた場合には、欠陥管理情報を取得できる。
【００１０】
ＤＭＡ１〜ＤＭＡ４の各々には、ディスク定義構造（以下、「ＤＤＳ」とも記載する。）１４と欠陥リスト（以下、「ＤＦＬ」とも記載する。）１５とが配置されて、ＤＤＳ１４の次にＤＦＬ１５が配置される。
【００１１】
ＤＦＬ１５は、欠陥リストヘッダ３２とＭ個（Ｍは０以上の整数）の欠陥エントリ３３とを含む。
【００１２】
欠陥リストヘッダ３２は、ＤＦＬ１５に含まれる欠陥エントリ３３の個数である欠陥エントリ数などを含み、ＤＦＬ１５の所定の位置（例えば、ＤＦＬ１５の先頭）に含まれる。
【００１３】
欠陥エントリ３３は、データ領域５で検出された欠陥ブロックの位置情報、その欠陥ブロックの交替先であるスペア領域の交替ブロック位置情報などを含む。
【００１４】
ＤＤＳ１４は、ＤＦＬ１５の配置を示す欠陥リスト先頭位置情報などを含む。
【００１５】
書換え型光ディスク４００に含まれたＤＭＡ１〜ＤＭＡ４の書換えが可能であるため、欠陥管理情報が新しくなる度に最新の欠陥管理情報をＤＭＡ１〜ＤＭＡ４に上書き、つまり更新することが出来るので、常に固定位置のＤＭＡ１〜ＤＭＡ４に最新の欠陥管理情報を記録することができる。
【００１６】
図２４は、従来の書換え型光ディスク対応の光ディスク記録再生装置２００の構成を示す。
【００１７】
光ディスク記録再生装置２００は、Ｉ／Ｏバス１７０を介して上位制御装置（図示せず）に接続される。上位制御装置は、典型的には、ホストコンピュータである。
【００１８】
光ディスク記録再生装置２００は、上位制御装置からの命令を処理する命令処理部１１０と、光ディスクへの記録時の制御を行う記録制御部１２０と、光ディスクからの再生時の制御を行う再生制御部１３０と、ＤＭＡ１〜ＤＭＡ４のうちの何れかから再生した内容を格納する欠陥管理情報格納バッファ１４０と、記録データおよび再生データを一時的に格納するデータバッファ１５０と、欠陥管理情報に関する処理を行う欠陥管理情報処理部１８０とを含む。
【００１９】
欠陥管理情報処理部１８０は、ＤＭＡ１〜ＤＭＡ４のうちの正常な欠陥管理領域を判断し、正常な欠陥管理領域に記録された内容を欠陥管理情報格納バッファ１４０に読み出す欠陥管理情報読み出し部１６１と、欠陥ブロック情報が変化した場合に欠陥管理情報格納バッファ１４０の内容を更新して新規欠陥情報を作成する欠陥管理情報更新部１６４と、欠陥管理情報更新部１６４によって更新された内容をＤＭＡ１〜ＤＭＡ４に書き込む欠陥管理情報書き込み部１６２と、欠陥管理情報処理部１８０の動作制御状態を記憶する欠陥管理情報制御メモリ１６３とを含む。
【先行技術文献】
【特許文献】
【００２０】
【特許文献１】特開平５−００６６２６号公報
【発明の概要】
【発明が解決しようとする課題】
【００２１】
しかし、追記型情報記録媒体（追記型光ディスク）に含まれたＤＭＡ１〜ＤＭＡ４への記録は１回しか出来ないため、書換え型情報記録媒体（書換え型光ディスク）に含まれたＤＭＡ１〜ＤＭＡ４への記録方法と同様の方法によって、所定位置のＤＭＡ１〜ＤＭＡ４に最新の欠陥管理情報を常に記録しておくことは出来ない。そのため、書換え型情報記録媒体対応の記録再生装置によって欠陥管理対応の追記型情報記録媒体を記録再生することは出来ないという課題があった。
【００２２】
本発明は、上記課題に鑑みてなされたものであり、書換え型情報記録媒体対応の記録再生装置によって記録再生可能な追記型情報記録媒体、追記型情報記録媒体に情報を記録する情報記録方法、追記型情報記録媒体から情報を再生する情報再生方法、追記型情報記録媒体に情報を記録する情報記録装置および追記型情報記録媒体から情報を再生する情報再生装置を提供することを目的とする。
【課題を解決するための手段】
【００２３】
本発明の追記型情報記録媒体は、少なくとも１つのディスク管理作業領域が所定の方向に沿って順に割り付けられる追記型情報記録媒体であって、前記少なくとも１つのディスク管理作業領域には、前記追記型情報記録媒体に関する管理情報であるディスク管理情報と、前記ディスク管理情報に関する位置情報を含むディスク定義構造とが配置され、最新のディスク管理情報と最新のディスク定義構造とは、前記所定の方向に沿って、前記最新のディスク管理情報、前記最新のディスク定義構造の順に配置され、前記最新のディスク管理情報は、記録済みディスク管理作業領域と未記録ディスク管理作業領域との境界に隣接する記録済みディスク管理作業領域に配置されたディスク管理情報であり、前記最新のディスク定義構造は、前記最新のディスク管理情報に関する位置情報を含むディスク定義構造であり、前記最新のディスク定義構造は、前記境界に隣接する記録済みディスク管理作業領域の所定の位置に配置され、前記所定の位置は、前記境界を基準に算出可能であり、これにより、上記目的が達成される。
【００２４】
前記ディスク管理情報は、可変サイズの情報であり、前記ディスク定義構造は、固定サイズの情報であってもよい。
【００２５】
前記追記型情報記録媒体は、データを記録するデータ領域と、前記データ領域の交替領域であるスペア領域とを備え、前記ディスク管理情報は、前記データ領域に含まれる交替元の領域と前記スペア領域に含まれる交替先の領域との対応関係を示す対応関係情報を含む交替リストを含み、前記ディスク定義構造は、前記交替リストの位置情報である交替リスト位置情報を含んでもよい。
【００２６】
前記所定の方向は、前記追記型情報記録媒体の内周から外周の方向であり、前記最新のディスク定義構造は、前記境界に隣接する前記記録済みディスク管理作業領域の末尾を基準に算出可能な所定の位置に配置されてもよい。
【００２７】
前記所定の方向は、前記追記型情報記録媒体の外周から内周の方向であり、前記最新のディスク定義構造は、前記境界に隣接する前記記録済みディスク管理作業領域の先頭を基準に算出可能な所定の位置に配置されてもよい。
【００２８】
前記ディスク管理作業領域は、複数のブロックを含み、前記複数のブロックは、データを記録再生する単位であり、前記ディスク管理情報と前記ディスク定義構造とは、前記複数のブロックのうち、互いに異なるブロックに配置されてもよい。 前記ディスク管理作
業領域は、１つ以上のブロックを含み、前記１つ以上のブロックは、データを記録再生する単位であり、前記ディスク管理情報と前記ディスク定義構造とは、前記１つ以上のブロックのうちの少なくとも１つを共有し、前記ディスク定義構造は、前記境界に隣接する前記記録済みディスク管理作業領域に含まれるブロックのうち、前記境界を基準に算出可能な所定のブロックにおける所定の位置に配置されてもよい。
【００２９】
前記追記型情報記録媒体には、ファイナライズ識別フラグが記録されてもよい。前記ファイナライズ識別フラグは、前記少なくとも１つのディスク管理作業領域へのデータの追記の禁止を示す。
【００３０】
前記ディスク定義構造および前記ディスク管理情報のうちの少なくとも一方は、前記ファイナライズ識別フラグを含んでもよい。
【００３１】
前記追記型情報記録媒体は、少なくとも１つのディスク管理領域をさらに備え、前記少なくとも１つのディスク管理領域には、最後のディスク管理情報と最後のディスク定義構造とが配置され、前記最後のディスク管理情報は、前記少なくとも１つのディスク管理領域に配置された前記最新のディスク管理情報であり、前記最後のディスク定義構造は、前記最後のディスク管理情報に関する位置情報を含むディスク定義構造であり、前記最後のディスク管理情報と前記最後のディスク定義構造とが、前記追記型情報記録媒体の内周から外周の方向に沿って、前記少なくとも１つのディスク管理領域の先頭から、前記最後のディスク定義構造、前記最後のディスク管理情報の順に配置されてもよい。
【００３２】
前記ディスク管理作業領域は、複数のブロックを含み、前記複数のブロックは、データを記録再生する単位であり、前記ディスク管理情報と前記ディスク定義構造とは、前記複数のブロックのうち、互いに異なるブロックに配置されてもよい。
【００３３】
前記ディスク管理作業領域は、１つ以上のブロックを含み、前記１つ以上のブロックは、データを記録再生する単位であり、前記ディスク管理情報と前記ディスク定義構造とは、前記１つ以上のブロックのうちの少なくとも１つを共有し、前記ディスク定義構造は、前記境界に隣接する前記記録済みディスク管理作業領域に含まれるブロックのうち、前記境界を基準に算出可能な所定のブロックにおける所定の位置に配置されてもよい。
【００３４】
前記追記型情報記録媒体には、ファイナライズ識別フラグが記録されてもよい。前記ファイナライズ識別フラグは、前記少なくとも１つのディスク管理作業領域へのデータの追記の禁止を示す。
【００３５】
前記ディスク定義構造および前記ディスク管理情報のうちの少なくとも一方は、前記ファイナライズ識別フラグを含んでもよい。
【００３６】
前記追記型情報記録媒体は、少なくとも１つのディスク管理領域をさらに備え、前記少なくとも１つのディスク管理領域には、最後のディスク管理情報と最後のディスク定義構造とが配置され、前記最後のディスク管理情報は、前記少なくとも１つのディスク管理領域に配置された前記最新のディスク管理情報であり、前記最後のディスク定義構造は、前記最後のディスク管理情報に関する位置情報を含むディスク定義構造であり、前記最後のディスク管理情報と前記最後のディスク定義構造とが、前記追記型情報記録媒体の内周から外周の方向に沿って、前記少なくとも１つのディスク管理領域の先頭から、前記最後のディスク定義構造、前記最後のディスク管理情報の順に配置されてもよい。
【００３７】
本発明の情報記録方法は、追記型情報記録媒体に情報を記録する情報記録方法であって、前記追記型情報記録媒体には、少なくとも１つのディスク管理作業領域が所定の方向に沿って順に割り付けられており、前記情報記録方法は、（ａ）記録済みディスク管理作業領域と未記録ディスク管理作業領域との境界に隣接する未記録ディスク管理作業領域を選択するステップと、（ｂ）前記境界に隣接する未記録ディスク管理作業領域に、前記追記型情報記録媒体に関する管理情報であるディスク管理情報を記録するステップと、（ｃ）前記ステップ（ｂ）で記録された前記ディスク管理情報に関する位置情報を含むディスク定義構造を前記境界に隣接する未記録ディスク管理作業領域に記録するステップとを包含し、前記ディスク管理情報と前記ディスク定義構造とは、前記所定の方向に沿って、前記ディスク管理情報、前記ディスク定義構造の順に配置され、前記ディスク定義構造は、前記境界に隣接する未記録ディスク管理作業領域の所定の位置に配置され、前記所定の位置は、前記境界を基準に算出可能であり、これにより、上記目的が達成される。
【００３８】
前記ディスク管理情報は、可変サイズの情報であり、前記ディスク定義構造は、固定サイズの情報であってもよい。
【００３９】
前記追記型情報記録媒体は、データを記録するデータ領域と、前記データ領域の交替領域であるスペア領域とを備え、前記ディスク管理情報は、前記データ領域に含まれる交替元の領域と前記スペア領域に含まれる交替先の領域との対応関係を示す対応関係情報を含む交替リストを含み、前記ディスク定義構造は、前記交替リストの位置情報である交替リスト位置情報を含んでもよい。
【００４０】
前記所定の方向は、前記追記型情報記録媒体の内周から外周の方向であり、前記ステップ（ｂ）で記録された前記ディスク管理情報に関する位置情報を含むディスク定義構造は、前記境界に隣接する前記未記録ディスク管理作業領域の末尾を基準に算出可能な所定の位置に配置されてもよい。
【００４１】
前記所定の方向は、前記追記型情報記録媒体の外周から内周の方向であり、前記ステップ（ｂ）で記録された前記ディスク管理情報に関する位置情報を含むディスク定義構造は、前記境界に隣接する前記未記録ディスク管理作業領域の先頭を基準に算出可能な所定の位置に配置されてもよい。
【００４２】
前記ステップ（ｂ）は、前記ディスク管理情報の記録が正常に行われたか否かを判断するステップをさらに包含し、前記ステップ（ｃ）は、前記ディスク定義構造の記録が正常に行われたか否かを判断するステップをさらに包含し、前記情報記録方法は、（ｄ）前記ディスク管理情報の記録が正常に行われるまで、前記ステップ（ｂ）の実行を繰り返し、前記ディスク定義構造の記録が正常に行われるまで、前記ステップ（ｃ）の実行を繰り返すステップをさらに包含してもよい。 前記ステップ（ｂ）は、前記ディスク管理情報の
記録が正常に行われたか否かを判断するステップをさらに包含し、前記ステップ（ｃ）は、前記ディスク定義構造の記録が正常に行われたか否かを判断するステップをさらに包含し、前記情報記録方法は、（ｄ）前記ディスク管理情報の記録が正常に行われるまで、前記ステップ（ｂ）の実行を繰り返し、前記ディスク定義構造の記録が正常に行われるまで、前記ステップ（ｃ）の実行を繰り返すステップをさらに包含してもよい。 本発明の情報再生方法は、追記型情報記録媒体に記録された情報を再生する情報再生方法であって、前記追記型情報記録媒体には、少なくとも１つのディスク管理作業領域が所定の方向に沿って順に割り付けられており、前記少なくとも１つのディスク管理作業領域には、前記追記型情報記録媒体に関する管理情報であるディスク管理情報と、前記ディスク管理情報に関する位置情報を含むディスク定義構造とが配置され、最新のディスク管理情報と最新のディスク定義構造とは、前記所定の方向に沿って、前記最新のディスク管理情報、前記最新のディスク定義構造の順に配置され、前記最新のディスク管理情報は、記録済みディスク管理作業領域と未記録ディスク管理作業領域との境界に隣接する記録済みディスク管理作業領域に配置されたディスク管理情報であり、前記最新のディスク定義構造は、前記最新のディスク管理情報に関する位置情報を含むディスク定義構造であり、前記最新のディスク定義構造は、前記境界に隣接する記録済みディスク管理作業領域の所定の位置に配置されており、前記所定の位置は、前記境界を基準に算出可能であり、前記情報再生方法は、（ａ）前記境界の位置を探索し、前記境界の位置を示す境界位置情報を取得するステップと、（ｂ）前記境界位置情報に基づいて、前記最新のディスク定義構造を再生するステップと、（ｃ）前記最新のディスク定義構造に基づいて、前記最新のディスク管理情報に関する位置情報を取得するステップと、（ｄ）前記最新のディスク管理情報に関する位置情報に基づいて、前記ディスク管理情報を再生するステップとを包含し、これにより、上記目的が達成される。
【００４３】
前記ディスク管理情報は、可変サイズの情報であり、前記ディスク定義構造は、固定サイズの情報であってもよい。
【００４４】
前記追記型情報記録媒体は、データを記録するデータ領域と、前記データ領域の交替領域であるスペア領域とを備え、前記ディスク管理情報は、前記データ領域に含まれる交替元の領域と前記スペア領域に含まれる交替先の領域との対応関係を示す対応関係情報を含む交替リストを含み、前記ディスク定義構造は、前記交替リストの位置情報である交替リスト位置情報を含んでもよい。
【００４５】
前記所定の方向は、前記追記型情報記録媒体の内周から外周の方向であり、前記最新のディスク定義構造は、前記境界に隣接する前記記録済みディスク管理作業領域の末尾を基準に算出可能な所定の位置に配置されてもよい。
【００４６】
前記所定の方向は、前記追記型情報記録媒体の外周から内周の方向であり、前記最新のディスク定義構造は、前記境界に隣接する前記記録済みディスク管理作業領域の先頭を基準に算出可能な所定の位置に配置されていてもよい。
【００４７】
本発明の情報記録装置は、追記型情報記録媒体に情報を記録する情報記録装置であって、前記追記型情報記録媒体には、少なくとも１つのディスク管理作業領域が所定の方向に沿って順に割り付けられており、前記情報記録装置は、（ａ）記録済みディスク管理作業領域と未記録ディスク管理作業領域との境界に隣接する未記録ディスク管理作業領域を選択する手段と、（ｂ）前記境界に隣接する未記録ディスク管理作業領域に、前記追記型情報記録媒体に関する管理情報であるディスク管理情報を記録する手段と、（ｃ）前記手段（ｂ）で記録された前記ディスク管理情報に関する位置情報を含むディスク定義構造を前記境界に隣接する未記録ディスク管理作業領域に記録する手段とを備え、前記ディスク管理情報と前記ディスク定義構造とは、前記所定の方向に沿って、前記ディスク管理情報、前記ディスク定義構造の順に配置され、前記ディスク定義構造は、前記境界に隣接する未記録ディスク管理作業領域の所定の位置に配置され、前記所定の位置は、前記境界を基準に算出可能であり、これにより、上記目的が達成される。
【００４８】
前記ディスク管理情報は、可変サイズの情報であり、前記ディスク定義構造は、固定サイズの情報であってもよい。
【００４９】
前記追記型情報記録媒体は、データを記録するデータ領域と、前記データ領域の交替領域であるスペア領域とを備え、前記ディスク管理情報は、前記データ領域に含まれる交替元の領域と前記スペア領域に含まれる交替先の領域との対応関係を示す対応関係情報を含む交替リストを含み、前記ディスク定義構造は、前記交替リストの位置情報である交替リスト位置情報を含んでもよい。
【００５０】
前記所定の方向は、前記追記型情報記録媒体の内周から外周の方向であり、前記手段（ｂ）によって記録された前記ディスク管理情報に関する位置情報を含むディスク定義構造は、前記境界に隣接する前記未記録ディスク管理作業領域の末尾を基準に算出可能な所定の位置に配置されてもよい。
【００５１】
前記所定の方向は、前記追記型情報記録媒体の外周から内周の方向であり、前記手段（ｂ）によって記録された前記ディスク管理情報に関する位置情報を含むディスク定義構造は、前記境界に隣接する前記未記録ディスク管理作業領域の先頭を基準に算出可能な所定の位置に配置されてもよい。
【００５２】
前記手段（ｂ）は、前記ディスク管理情報の記録が正常に行われたか否かを判断する手段をさらに備え、前記手段（ｃ）は、前記ディスク定義構造の記録が正常に行われたか否かを判断する手段をさらに備え、前記情報記録装置は、（ｄ）前記ディスク管理情報の記録が正常に行われるまで、前記ディスク管理情報を記録することを繰り返し、前記ディスク定義構造の記録が正常に行われるまで、前記ディスク定義構造を記録することを繰り返す手段をさらに備えてもよい。
【００５３】
前記手段（ｂ）は、前記ディスク管理情報の記録が正常に行われたか否かを判断する手段をさらに備え、前記手段（ｃ）は、前記ディスク定義構造の記録が正常に行われたか否かを判断する手段をさらに備え、前記情報記録装置は、（ｄ）前記ディスク管理情報の記録が正常に行われるまで、前記ディスク管理情報を記録することを繰り返し、前記ディスク定義構造の記録が正常に行われるまで、前記ディスク定義構造を記録することを繰り返す手段をさらに備えてもよい。
【００５４】
本発明の情報再生装置は、追記型情報記録媒体に記録された情報を再生する情報再生装置であって、前記追記型情報記録媒体には、少なくとも１つのディスク管理作業領域が所定の方向に沿って順に割り付けられており、前記少なくとも１つのディスク管理作業領域には、前記追記型情報記録媒体に関する管理情報であるディスク管理情報と、前記ディスク管理情報に関する位置情報を含むディスク定義構造とが配置され、最新のディスク管理情報と最新のディスク定義構造とは、前記所定の方向に沿って、前記最新のディスク管理情報、前記最新のディスク定義構造の順に配置され、前記最新のディスク管理情報は、記録済みディスク管理作業領域と未記録ディスク管理作業領域との境界に隣接する記録済みディスク管理作業領域に配置されたディスク管理情報であり、前記最新のディスク定義構造は、前記最新のディスク管理情報に関する位置情報を含むディスク定義構造であり、前記最新のディスク定義構造は、前記境界に隣接する記録済みディスク管理作業領域の所定の位置に配置されており、前記所定の位置は、前記境界を基準に算出可能であり、前記情報再生装置は、（ａ）前記境界の位置を探索し、前記境界の位置を示す境界位置情報を取得する手段と、（ｂ）前記境界位置情報に基づいて、前記最新のディスク定義構造を再生する手段と、（ｃ）前記最新のディスク定義構造に基づいて、前記最新のディスク管理情報に関する位置情報を取得する手段と、（ｄ）前記最新のディスク管理情報に関する位置情報に基づいて、前記ディスク管理情報を再生する手段とを備え、これにより、上記目的が達成される。
【００５５】
前記ディスク管理情報は、可変サイズの情報であり、前記ディスク定義構造は、固定サイズの情報であってもよい。
【００５６】
前記追記型情報記録媒体は、データを記録するデータ領域と、前記データ領域の交替領域であるスペア領域とを備え、前記ディスク管理情報は、前記データ領域に含まれる交替元の領域と前記スペア領域に含まれる交替先の領域との対応関係を示す対応関係情報を含む交替リストを含み、前記ディスク定義構造は、前記交替リストの位置情報である交替リスト位置情報を含んでもよい。
【００５７】
前記所定の方向は、前記追記型情報記録媒体の内周から外周の方向であり、前記最新のディスク定義構造は、前記境界に隣接する前記記録済みディスク管理作業領域の末尾を基準に算出可能な所定の位置に配置されてもよい。
【００５８】
前記所定の方向は、前記追記型情報記録媒体の外周から内周の方向であり、前記最新のディスク定義構造は、前記境界に隣接する前記記録済みディスク管理作業領域の先頭を基準に算出可能な所定の位置に配置されてもよい。
【００５９】
本発明のファイナライズ判定方法は、追記型情報記録媒体が既にファイナライズされているか否かを判定するファイナライズ判定方法であって、前記追記型情報記録媒体には、少なくとも１つのディスク管理作業領域が割り付けられており、前記ファイナライズ判定方法は、（ａ）前記少なくとも１つのディスク管理作業領域へのデータの追記の禁止を示すファイナライズ識別フラグが、前記追記型情報記録媒体に記録されているか否かを判定するステップと、（ｂ）前記判定の結果に基づいて、前記追記型情報記録媒体が追記可能な状態から追記不可能な状態に変更されているか否かを判定するステップとを包含し、これにより、上記目的が達成される。
【００６０】
前記少なくとも１つのディスク管理作業領域には、前記追記型情報記録媒体に関する管理情報であるディスク管理情報と、前記ディスク管理情報に関する位置情報を含むディスク定義構造とが配置され、前記ステップ（ａ）は、前記ファイナライズ識別フラグが、前記ディスク定義構造および前記ディスク管理情報のうちの少なくとも一方に記録されているか否かを判定するステップを包含してもよい。
【００６１】
本発明のファイナライズ判定方法は、追記型情報記録媒体が既にファイナライズされているか否かを判定するファイナライズ判定方法であって、前記追記型情報記録媒体には、少なくとも１つのディスク管理作業領域と、少なくとも１つのディスク管理領域とが割り付けられており、前記少なくとも１つのディスク管理作業領域には、前記追記型情報記録媒体に関する管理情報であるディスク管理情報と、前記ディスク管理情報に関する位置情報を含むディスク定義構造とが記録されており、前記ファイナライズ判定方法は、（ａ）前記少なくとも１つのディスク管理領域のうちの１つからデータを読み出し、記録済みか否かを判定するステップと、（ｂ）前記判定の結果に基づいて、前記追記型情報記録媒体が追記可能な状態から追記不可能な状態に変更されているか否かを判定するステップとを包含し、これにより、上記目的が達成される。
【００６２】
前記ステップ（ａ）は、前記データの読み出し結果を示す読み出し信号の振幅に応じて、記録済みか否かを判定するステップを包含してもよい。
【００６３】
前記ステップ（ａ）は、前記データが正しく読み出されるか否かの検査結果に基づいて、記録済みか否かを判定するステップを包含してもよい。
【００６４】
前記ステップ（ａ）は、前記少なくとも１つのディスク管理領域のうちの１つからデータを読み出し、前記データの読み出し結果に基づいて、前記少なくとも１つのディスク管理領域のうちの１つに、最後のディスク管理情報と最後のディスク定義構造とが記録されているか否かを判定するステップを包含してもよい。前記最後のディスク管理情報は、前記少なくとも１つのディスク管理領域に配置された最新のディスク管理情報であり、前記最後のディスク定義構造は、前記最後のディスク管理情報に関する位置情報を含むディスク定義構造であり、前記最新のディスク管理情報は、記録済みディスク管理作業領域と未記録ディスク管理作業領域との境界に隣接する記録済みディスク管理作業領域に記録されたディスク管理情報である。
【００６５】
前記ステップ（ａ）は、最後のディスク管理情報または最後のディスク定義構造が正しく読み出されるか否かの検査結果に基づいて、記録済みか否かを判定するステップを包含してもよい。前記最後のディスク管理情報は、前記少なくとも１つのディスク管理領域に配置された最新のディスク管理情報であり、前記最後のディスク定義構造は、前記最後のディスク管理情報に関する位置情報を含むディスク定義構造であり、前記最新のディスク管理情報は、記録済みディスク管理作業領域と未記録ディスク管理作業領域との境界に隣接する記録済みディスク管理作業領域に記録されたディスク管理情報である。
【００６６】
前記ステップ（ａ）は、前記少なくとも１つのディスク管理領域の各々からデータを読み出し、記録済みか否かを判定するステップを包含し、前記ステップ（ｂ）は、前記少なくとも１つのディスク管理領域のうちの少なくとも１つが記録済みであると判定された場合には、前記追記型情報記録媒体が追記可能な状態から追記不可能な状態に変更されていると判定し、前記少なくとも１つのディスク管理領域の全てが未記録であると判定された場合には、前記追記型情報記録媒体が追記可能な状態から追記不可能な状態に変更されていないと判定するステップを包含してもよい。
【００６７】
前記ディスク管理領域は、欠陥領域に関する管理情報を記録する欠陥管理領域でよい。
【００６８】
本発明のファイナライズ判定装置は、追記型情報記録媒体が既にファイナライズされているか否かを判定するファイナライズ判定装置であって、前記追記型情報記録媒体には、少なくとも１つのディスク管理作業領域が割り付けられており、前記ファイナライズ判定装置は、（ａ）前記少なくとも１つのディスク管理作業領域へのデータの追記の禁止を示すファイナライズ識別フラグが、前記追記型情報記録媒体に記録されているか否かを判定する手段と、（ｂ）前記判定の結果に基づいて、前記追記型情報記録媒体が追記可能な状態から追記不可能な状態に変更されているか否かを判定する手段とを備え、これにより、上記目的が達成される。
【００６９】
前記少なくとも１つのディスク管理作業領域には、前記追記型情報記録媒体に関する管理情報であるディスク管理情報と、前記ディスク管理情報に関する位置情報を含むディスク定義構造とが配置され、前記手段（ａ）は、前記ファイナライズ識別フラグが、前記ディスク定義構造および前記ディスク管理情報のうちの少なくとも一方に記録されているか否かを判定する手段を備えてもよい。
【００７０】
本発明のファイナライズ判定装置は、追記型情報記録媒体が既にファイナライズされているか否かを判定するファイナライズ判定装置であって、前記追記型情報記録媒体には、少なくとも１つのディスク管理作業領域と、少なくとも１つのディスク管理領域とが割り付けられており、前記少なくとも１つのディスク管理作業領域には、前記追記型情報記録媒体に関する管理情報であるディスク管理情報と、前記ディスク管理情報に関する位置情報を含むディスク定義構造とが記録されており、前記ファイナライズ判定装置は、（ａ）前記少なくとも１つのディスク管理領域のうちの１つからデータを読み出し、記録済みか否かを判別する手段と、（ｂ）前記判定の結果に基づいて、前記追記型情報記録媒体が追記可能な状態から追記不可能な状態に変更されているか否かを判定する手段とを備え、これにより、上記目的が達成される。
【００７１】
前記手段（ａ）は、前記データの読み出し結果を示す読み出し信号の振幅に応じて、記録済みか否かを判定する手段を備えてもよい。
【００７２】
前記手段（ａ）は、前記データが正しく読み出されるか否かの検査結果に基づいて、記録済みか否かを判定する手段を備えてもよい。
【００７３】
前記手段（ａ）は、前記少なくとも１つのディスク管理領域のうちの１つからデータを読み出し、前記データの読み出し結果に基づいて、前記少なくとも１つのディスク管理領域のうちの１つに、最後のディスク管理情報と最後のディスク定義構造とが記録されているか否かを判定する手段を備えてもよい。前記最後のディスク管理情報は、前記少なくとも１つのディスク管理領域に配置された最新のディスク管理情報であり、前記最後のディスク定義構造は、前記最後のディスク管理情報に関する位置情報を含むディスク定義構造であり、前記最新のディスク管理情報は、記録済みディスク管理作業領域と未記録ディスク管理作業領域との境界に隣接する記録済みディスク管理作業領域に記録されたディスク管理情報である。
【００７４】
前記手段（ａ）は、最後のディスク管理情報または最後のディスク定義構造が正しく読み出されるか否かの検査結果に基づいて、記録済みか否かを判定する手段を備えてもよい。前記最後のディスク管理情報は、前記少なくとも１つのディスク管理領域に配置された最新のディスク管理情報であり、前記最後のディスク定義構造は、前記最後のディスク管理情報に関する位置情報を含むディスク定義構造であり、前記最新のディスク管理情報は、記録済みディスク管理作業領域と未記録ディスク管理作業領域との境界に隣接する記録済みディスク管理作業領域に記録されたディスク管理情報である。
【００７５】
前記手段（ａ）は、前記少なくとも１つのディスク管理領域の各々からデータを読み出し、記録済みか否かを判定する手段を備え、前記手段（ｂ）は、前記少なくとも１つのディスク管理領域のうちの少なくとも１つが記録済みであると判定された場合には、前記追記型情報記録媒体が追記可能な状態から追記不可能な状態に変更されていると判定し、前記少なくとも１つのディスク管理領域の全てが未記録であると判定された場合には、前記追記型情報記録媒体が追記可能な状態から追記不可能な状態に変更されていないと判定する手段を備えてもよい。
【００７６】
前記ディスク管理領域は、欠陥領域に関する管理情報を記録する欠陥管理領域でよい。
【００７７】
本発明のファイナライズ方法は、追記型情報記録媒体をファイナライズするファイナライズ方法であって、前記追記型情報記録媒体には、少なくとも１つのディスク管理作業領域が割り付けられており、前記ファイナライズ方法は、（ａ）前記少なくとも１つのディスク管理作業領域へのデータの追記の禁止を示すファイナライズ識別フラグを前記追記型情報記録媒体に記録するステップを包含し、これにより、上記目的が達成される。
【００７８】
前記少なくとも１つのディスク管理作業領域には、前記追記型情報記録媒体に関する管理情報であるディスク管理情報と、前記ディスク管理情報に関する位置情報を含むディスク定義構造とが配置され、前記ステップ（ａ）は、前記ディスク定義構造および前記ディスク管理情報のうちの少なくとも一方に、前記ファイナライズ識別フラグが含まれるように前記ファイナライズ識別フラグを記録するステップを含んでもよい。
【００７９】
本発明のファイナライズ方法は、追記型情報記録媒体をファイナライズするファイナライズ方法であって、前記追記型情報記録媒体には、少なくとも１つのディスク管理作業領域と、少なくとも１つのディスク管理領域とが割り付けられており、前記少なくとも１つのディスク管理作業領域には、前記追記型情報記録媒体に関する管理情報であるディスク管理情報と、前記ディスク管理情報に関する位置情報を含むディスク定義構造とが記録されており、前記ファイナライズ方法は、（ａ）前記少なくとも１つのディスク管理領域のうちの１つに、最後のディスク管理情報を記録するステップと（ｂ）前記最後のディスク管理情報に基づいて、前記少なくとも１つのディスク管理領域のうちの１つに、最後のディスク定義構造を記録するステップとを包含し、これにより、上記目的が達成される。前記最後のディスク管理情報は、前記少なくとも１つのディスク管理領域に配置された最新のディスク管理情報であり、前記最後のディスク定義構造は、前記最後のディスク管理情報に関する位置情報を含むディスク定義構造であり、前記最新のディスク管理情報は、記録済みディスク管理作業領域と未記録ディスク管理作業領域との境界に隣接する記録済みディスク管理作業領域に記録されたディスク管理情報である。
【００８０】
前記ファイナライズ方法は、前記境界に隣接する記録済みディスク管理作業領域の位置を示す位置情報を前記少なくとも１つのディスク管理領域のうちの１つの位置を示す位置情報に変更することによって、最新のディスク定義構造を前記最後のディスク定義構造に変更するステップをさらに包含してもよい。前記最新のディスク定義構造は、前記最新のディスク管理情報に関する位置情報を含むディスク定義構造である。
【００８１】
前記ファイナライズ方法は、前記少なくとも１つのディスク管理領域の各々に対して、前記ステップ（ａ）とステップ（ｂ）との実行を繰り返すことによって、前記少なくとも１つのディスク管理領域の全てに前記最後のディスク管理情報と前記最後のディスク定義構造とを記録するステップをさらに包含してもよい。
【００８２】
本発明のファイナライズ装置は、追記型情報記録媒体をファイナライズするファイナライズ装置であって、前記追記型情報記録媒体には、少なくとも１つのディスク管理作業領域が割り付けられており、前記ファイナライズ装置は、（ａ）前記少なくとも１つのディスク管理作業領域へのデータの追記の禁止を示すファイナライズ識別フラグを前記追記型情報記録媒体に記録する手段を備え、これにより、上記目的が達成される。
【００８３】
前記少なくとも１つのディスク管理作業領域には、前記追記型情報記録媒体に関する管理情報であるディスク管理情報と、前記ディスク管理情報に関する位置情報を含むディスク定義構造とが配置され、前記手段（ａ）は、前記ディスク定義構造および前記ディスク管理情報のうちの少なくとも一方に、前記ファイナライズ識別フラグが含まれるように前記ファイナライズ識別フラグを記録する手段を備えてもよい。
【００８４】
本発明のファイナライズ装置は、追記型情報記録媒体をファイナライズするファイナライズ装置であって、前記追記型情報記録媒体には、少なくとも１つのディスク管理作業領域と、少なくとも１つのディスク管理領域とが割り付けられており、前記少なくとも１つのディスク管理作業領域には、前記追記型情報記録媒体に関する管理情報であるディスク管理情報と、前記ディスク管理情報に関する位置情報を含むディスク定義構造とが記録されており、前記ファイナライズ装置は、（ａ）前記少なくとも１つのディスク管理領域のうちの１つに、最後のディスク管理情報を記録する手段と、（ｂ）前記最後のディスク管理情報に基づいて、前記少なくとも１つのディスク管理領域のうちの１つに、最後のディスク定義構造を記録する手段とを備え、これにより、上記目的が達成される。前記最後のディスク管理情報は、前記少なくとも１つのディスク管理領域に配置された最新のディスク管理情報であり、前記最後のディスク定義構造は、前記最後のディスク管理情報に関する位置情報を含むディスク定義構造であり、前記最新のディスク管理情報は、記録済みディスク管理作業領域と未記録ディスク管理作業領域との境界に隣接する記録済みディスク管理作業領域に記録されたディスク管理情報である。
【００８５】
前記ファイナライズ装置は、前記境界に隣接する記録済みディスク管理作業領域の位置を示す位置情報を前記少なくとも１つのディスク管理領域のうちの１つの位置を示す位置情報に変更することによって、最新のディスク定義構造を前記最後のディスク定義構造に変更する手段をさらに備えてもよい。前記最新のディスク定義構造は、前記最新のディスク管理情報に関する位置情報を含むディスク定義構造である。
【００８６】
前記ファイナライズ装置は、前記少なくとも１つのディスク管理領域の各々に対して、前記少なくとも１つのディスク管理領域のうちの１つに前記最後のディスク定義構造を記録することと、前記最後のディスク定義構造に基づいて前記少なくとも１つのディスク管理領域のうちの１つに前記最後のディスク管理情報を記録することとを繰り返すことによって、前記少なくとも１つのディスク管理領域の全てに前記最後のディスク管理情報と前記最後のディスク定義構造とを記録する手段をさらに備えてもよい。
【００８７】
本発明の追記型情報記録媒体は、少なくとも１つのディスク管理作業領域が所定の方向に沿って順に割り付けられる追記型情報記録媒体であって、前記少なくとも１つのディスク管理作業領域は、データを記録再生する単位である複数のブロックを含み、前記複数のブロックの各々には、前記追記型情報記録媒体に関する管理情報であるディスク管理情報に含まれる部分ディスク管理情報と、前記部分ディスク管理情報に関する位置情報を含むディスク定義構造とが配置され、前記ディスク定義構造は、前記複数のブロックの各々の所定の位置に配置されており、これにより、上記目的が達成される。
【００８８】
記録済みディスク管理作業領域と未記録ディスク管理作業領域との境界に隣接する記録済みディスク管理領域に含まれる複数のブロックの各々には、前記部分ディスク管理情報と前記ディスク定義構造とが配置されてもよい。
【００８９】
前記追記型情報記録媒体は、データを記録するデータ領域と、前記データ領域の交替領域であるスペア領域とを備え、前記ディスク管理情報は、前記データ領域に含まれる交替元の領域と前記スペア領域に含まれる交替先の領域との対応関係を示す対応関係情報を含む交替リストを含み、前記複数のブロックの各々には、前記交替リストに含まれる部分交替リストと、前記部分交替リストに関する位置情報を含むディスク定義構造とが配置されてもよい。
【００９０】
前記所定の方向は、前記追記型情報記録媒体の内周から外周の方向でよい。
【００９１】
前記所定の方向は、前記追記型情報記録媒体の外周から内周の方向でよい。
【００９２】
本発明の情報記録方法は、追記型情報記録媒体に情報を記録する情報記録方法であって、前記追記型情報記録媒体には、少なくとも１つのディスク管理作業領域が所定の方向に沿って順に割り付けられており、前記情報記録方法は、（ａ）記録済みディスク管理作業領域と未記録ディスク管理作業領域との境界に隣接する未記録ディスク管理作業領域を選択するステップと、（ｂ）前記境界に隣接する未記録ディスク管理作業領域に含まれる複数のブロックの各々に、前記追記型情報記録媒体に関する管理情報であるディスク管理情報に含まれる部分ディスク管理情報を記録するステップと、（ｃ）前記境界に隣接する未記録ディスク管理作業領域に含まれる複数のブロックの各々に、前記部分ディスク管理情報に関する位置情報を含むディスク定義構造を記録するステップとを包含し、前記複数のブロックは、データを記録再生する単位であり、前記ディスク定義構造は、前記複数のブロックの各々の所定の位置に配置され、これにより、上記目的が達成される。
【００９３】
前記追記型情報記録媒体は、データを記録するデータ領域と、前記データ領域の交替領域であるスペア領域とを備え、前記ディスク管理情報は、前記データ領域に含まれる交替元の領域と前記スペア領域に含まれる交替先の領域との対応関係を示す対応関係情報を含む交替リストを含み、前記複数のブロックの各々には、前記交替リストに含まれる部分交替リストと、前記部分交替リストに関する位置情報を含むディスク定義構造とが配置されてもよい。
【００９４】
前記ステップ（ｂ）は、前記部分ディスク管理情報の記録が正常に行われたか否かを判断するステップをさらに包含し、前記ステップ（ｃ）は、前記ディスク定義構造の記録が正常に行われたか否かを判断するステップをさらに包含し、前記情報記録方法は、（ｄ）前記部分ディスク管理情報の記録が正常に行われるまで、前記ステップ（ｂ）の実行を繰り返し、前記ディスク定義構造の記録が正常に行われるまで、前記ステップ（ｃ）の実行を繰り返すステップをさらに包含してもよい。
【００９５】
本発明の情報再生方法は、追記型情報記録媒体に記録された情報を再生する情報再生方法であって、前記追記型情報記録媒体には、少なくとも１つのディスク管理作業領域が所定の方向に沿って順に割り付けられており、前記少なくとも１つのディスク管理作業領域は、データを記録再生する単位である複数のブロックを含み、前記複数のブロックの各々には、前記追記型情報記録媒体に関する管理情報であるディスク管理情報に含まれる部分ディスク管理情報と、前記部分ディスク管理情報に関する位置情報を含むディスク定義構造とが配置され、前記ディスク定義構造は、前記複数のブロックの各々の所定の位置に配置されており、前記情報再生方法は、（ａ）記録済みディスク管理作業領域と未記録ディスク管理作業領域との境界の位置を探索し、前記境界の位置を示す境界位置情報を取得するステップと、（ｂ）前記境界位置情報に基づいて、前記境界に隣接する記録済みディスク管理作業領域から前記ディスク定義構造を再生するステップと、（ｃ）前記ディスク定義構造に基づいて、前記部分ディスク管理情報に関する位置情報を取得するステップと、（ｄ）前記部分ディスク管理情報に関する位置情報に基づいて、前記境界に隣接する記録済みディスク管理作業領域に含まれる複数のブロックの各々から、前記部分ディスク管理情報を再生するステップとを包含し、これにより、上記目的が達成される。
【００９６】
前記追記型情報記録媒体は、データを記録するデータ領域と、前記データ領域の交替領域であるスペア領域とを備え、前記ディスク管理情報は、前記データ領域に含まれる交替元の領域と前記スペア領域に含まれる交替先の領域との対応関係を示す対応関係情報を含む交替リストを含み、前記複数のブロックの各々には、前記交替リストに含まれる部分交替リストと、前記部分交替リストに関する位置情報を含むディスク定義構造とが配置されてもよい。
【００９７】
前記ステップ（ｃ）は、（ｅ）前記ディスク定義構造に含まれる前記部分ディスク管理情報に関する位置情報に基づいて、前記記録済みディスク管理作業領域は正常に記録が完了した領域であるか否かを判断するステップをさらに包含し、前記記録済みディスク管理作業領域が正常に記録が完了していない領域であると判断された場合には、前記部分ディスク管理情報に関する位置情報に基づいて、前記境界に隣接する記録済みディスク管理作業領域と前記境界に隣接する記録済みディスク管理作業領域に隣接する記録済みディスク管理作業領域との境界の位置を探索してもよい。
【００９８】
前記ステップ（ｅ）は、前記部分ディスク管理情報に関する位置情報と記録済みディスク管理作業領域と未記録ディスク管理作業領域との境界の位置情報とを比較することによって、前記記録済みディスク管理作業領域は正常に記録が完了した領域であるか否かを判断するステップを包含してもよい。
【００９９】
本発明の情報記録装置は、追記型情報記録媒体に情報を記録する情報記録装置であって、前記追記型情報記録媒体には、少なくとも１つのディスク管理作業領域が所定の方向に沿って順に割り付けられており、前記情報記録装置は、（ａ）記録済みディスク管理作業領域と未記録ディスク管理作業領域との境界に隣接する未記録ディスク管理作業領域を選択する手段と、（ｂ）前記境界に隣接する未記録ディスク管理作業領域に含まれる複数のブロックの各々に、前記追記型情報記録媒体に関する管理情報であるディスク管理情報に含まれる部分ディスク管理情報を記録する手段と、（ｃ）前記境界に隣接する未記録ディスク管理作業領域に含まれる複数のブロックの各々に、前記部分ディスク管理情報に関する位置情報を含むディスク定義構造を記録する手段とを備え、前記複数のブロックは、データを記録再生する単位であり、前記ディスク定義構造は、前記複数のブロックの各々の所定の位置に配置され、これにより、上記目的が達成される。
【０１００】
前記追記型情報記録媒体は、データを記録するデータ領域と、前記データ領域の交替領域であるスペア領域とを備え、前記ディスク管理情報は、前記データ領域に含まれる交替元の領域と前記スペア領域に含まれる交替先の領域との対応関係を示す対応関係情報を含む交替リストを含み、前記複数のブロックの各々には、前記交替リストに含まれる部分交替リストと、前記部分交替リストに関する位置情報を含むディスク定義構造とが配置されてもよい。
【０１０１】
前記手段（ｂ）は、前記部分ディスク管理情報の記録が正常に行われたか否かを判断する手段をさらに備え、前記手段（ｃ）は、前記ディスク定義構造の記録が正常に行われたか否かを判断する手段をさらに備え、前記情報記録装置は、（ｄ）前記部分ディスク管理情報の記録が正常に行われるまで、前記部分ディスク管理情報を記録することを繰り返し、前記ディスク定義構造の記録が正常に行われるまで、前記ディスク定義構造を記録することを繰り返す手段をさらに備えてもよい。
【０１０２】
本発明の情報再生装置は、追記型情報記録媒体に記録された情報を再生する情報再生装置であって、前記追記型情報記録媒体には、少なくとも１つのディスク管理作業領域が所定の方向に沿って順に割り付けられており、前記少なくとも１つのディスク管理作業領域は、データを記録再生する単位である複数のブロックを含み、前記複数のブロックの各々には、前記追記型情報記録媒体に関する管理情報であるディスク管理情報に含まれる部分ディスク管理情報と、前記部分ディスク管理情報に関する位置情報を含むディスク定義構造とが配置され、前記ディスク定義構造は、前記複数のブロックの各々の所定の位置に配置されており、前記情報再生装置は、（ａ）記録済みディスク管理作業領域と未記録ディスク管理作業領域との境界の位置を探索し、前記境界の位置を示す境界位置情報を取得する手段と、（ｂ）前記境界位置情報に基づいて、前記境界に隣接する記録済みディスク管理作業領域から前記ディスク定義構造を再生する手段と、（ｃ）前記ディスク定義構造に基づいて、前記部分ディスク管理情報に関する位置情報を取得する手段と、（ｄ）前記部分ディスク管理情報に関する位置情報に基づいて、前記境界に隣接する記録済みディスク管理作業領域に含まれる複数のブロックの各々から、前記部分ディスク管理情報を再生する手段とを備え、これにより、上記目的が達成される。
【０１０３】
前記追記型情報記録媒体は、データを記録するデータ領域と、前記データ領域の交替領域であるスペア領域とを備え、前記ディスク管理情報は、前記データ領域に含まれる交替元の領域と前記スペア領域に含まれる交替先の領域との対応関係を示す対応関係情報を含む交替リストを含み、前記複数のブロックの各々には、前記交替リストに含まれる部分交替リストと、前記部分交替リストに関する位置情報を含むディスク定義構造とが配置されてもよい。
【０１０４】
前記手段（ｃ）は、（ｅ）前記ディスク定義構造に含まれる前記部分ディスク管理情報に関する位置情報に基づいて、前記記録済みディスク管理作業領域は正常に記録が完了した領域であるか否かを判断する手段をさらに備え、前記記録済みディスク管理作業領域が正常に記録が完了していない領域である場合には、前記部分ディスク管理情報に関する位置情報に基づいて、前記境界に隣接する記録済みディスク管理作業領域と前記境界に隣接する記録済みディスク管理作業領域に隣接する記録済みディスク管理作業領域との境界の位置を探索してもよい。
【０１０５】
前記手段（ｅ）は、前記部分ディスク管理情報に関する位置情報と記録済みディスク管理作業領域と未記録ディスク管理作業領域との境界の位置情報とを比較することによって、前記記録済みディスク管理作業領域は正常に記録が完了した領域であるか否かを判断する手段を備えてもよい。
【発明の効果】
【０１０６】
本発明の追記型情報記録媒体には、少なくとも１つの欠陥管理作業領域が所定の方向に沿って順に割り付けられており、最新の欠陥リストと最新のＤＤＳとは、この所定の方向に沿って、最新の欠陥リスト、最新のＤＤＳの順に、記録済み欠陥管理作業領域と未記録欠陥管理作業領域との境界に隣接する記録済み欠陥管理作業領域に配置されている。したがって、最新のＤＤＳおよび最新の欠陥リストを容易に検索することができる。
【０１０７】
ファイナライズ処理によって、ファイナライズ後の追記型光ディスクのデータ構造は書換え型光ディスクのデータ構造と同じになる。その結果、書換え型光ディスク対応の光ディスク記録再生装置によって、ファイナライズ後の追記型光ディスクに記録されたデータが再生可能となる、つまり再生互換を取ることが可能となる。
【０１０８】
また、複数のブロックの各々の所定の位置に副ディスク定義構造（ＳＤＤＳ）を配置することによって、欠陥管理作業領域の更新途中に電源が切れる等の原因で更新が途中で終わった場合でも、更新に失敗したという事実を誤ることなく判定できるとともに、更新に失敗した欠陥管理作業領域の先頭位置を容易に検索できる。したがって、最新の正常な欠陥管理作業領域中の欠陥リストを容易に取得することができる。
【０１０９】
本発明における情報記録方法によれば、欠陥管理作業領域に欠陥ブロックが存在したために欠陥リストとＤＤＳとの記録に失敗しても、欠陥リストとＤＤＳとの記録が正常に終了するまで欠陥リストとＤＤＳとの記録を繰り返すことによって、正しく欠陥リストとＤＤＳとの記録を行うことができる。その結果、欠陥管理作業領域に記録する欠陥リストとＤＤＳとのデータの信頼性を高めることができる。
【図面の簡単な説明】
【０１１０】
【図１】本発明の実施の形態１の追記型光ディスクの領域の構成を示す図である。
【図２】本発明の実施の形態１の追記型光ディスクのデータ構造を示す図である。
【図３】ＤＤＳと欠陥リストとのデータ構造を示す図である。
【図４】本発明の実施の形態１の光ディスク記録再生装置の構成を示す図である。
【図５】本発明の実施の形態１の追記型光ディスクの記録済み欠陥管理作業領域と未記録欠陥管理作業領域との境界に隣接する記録済み欠陥管理作業領域から最新の欠陥リストと最新のＤＤＳとを取得する手順を示すフローチャートである。
【図６】記録済み終端位置の探索過程を示す図である。
【図７】記録済み終端位置の探索処理手順を示すフローチャートである。
【図８】欠陥管理作業領域群に含まれるＤＭＷＡに欠陥リストおよびＤＤＳが追記されていく状態を示す図である。
【図９】本発明の実施の形態１の追記型光ディスクの欠陥管理作業領域に欠陥リストとＤＤＳとを追記する処理手順を示すフローチャートである。
【図１０】欠陥リストとＤＤＳとが正常に記録できたか否かを判断しながら新たな欠陥リストとＤＤＳとを欠陥管理作業領域に記録（追記）する処理手順を示すフローチャートである。
【図１１】図１０を参照して説明した追記手順に従って欠陥管理作業領域に欠陥リストおよびＤＤＳが追記されていく状態を示す図である。
【図１２】本発明の実施の形態１の他の追記型光ディスクのデータ構造を示す図である。
【図１３】本発明の実施の形態１におけるファイナライズ処理手順を示すフローチャートである。
【図１４】書換え型光ディスクとファイナライズ後の追記型光ディスクとのデータ構造の比較を示す図である。
【図１５】本発明の実施の形態１における別のファイナライズ処理手順を示すフローチャートである。
【図１６】追記型光ディスク１が既にファイナライズされているか否かを判定するファイナライズ判定手順を示すフローチャートである。
【図１７】追記型光ディスクが既にファイナライズされているか否かを判定する別のファイナライズ判定手順を示すフローチャートである。
【図１８】本発明の実施の形態２のＤＭＷＡのデータ構造を示す図である。
【図１９】ＳＤＤＳの構造を示す図である。
【図２０】欠陥管理作業領域群に含まれる欠陥管理作業領域のうち最新に記録された欠陥管理作業領域からＳＤＤＳとＳＤＦＬとを取得する手順を示すフローチャートである。
【図２１】本発明の実施の形態２の追記型光ディスクの欠陥管理作業領域にＳＤＦＬとＳＤＤＳとを追記する手順を示すフローチャートである。
【図２２】子情報としてスペースビットマップ情報と欠陥リストとが配置される欠陥管理作業領域の例を示す図である。
【図２３】従来の書換え型光ディスクのデータ構造を示す図である。
【図２４】従来の書換え型光ディスク対応の光ディスク記録再生装置の構成を示す図である。
【発明を実施するための形態】
【０１１１】
以下、図を参照して本発明の実施の形態を説明する。
【０１１２】
なお、本発明の実施の形態の説明では、情報記録媒体として追記型情報記録媒体（以下、「追記型光ディスク」と記載する。）を用いる。
【０１１３】
（実施の形態１）
１．１． 追記型光ディスクのデータ構造
図１は、本発明の実施の形態１の追記型光ディスク１の領域の構成を示す。円盤状の追記型光ディスク１には、スパイラル状に多数のトラック２が形成されており、多数のトラック２の各々には、細かく分けられた多数のブロック３が形成されている。ブロック３は、エラー訂正の単位であり、記録動作および再生動作が行われる最小の単位である。例えば、赤色レーザを用いるＤＶＤ−ＲＡＭの場合には、ブロック３のサイズは、１ＥＣＣ（３２ＫＢｙｔｅ）サイズであり、青色レーザを用いる大容量のＢＤ−ＲＥの場合には、ブロック３のサイズは、１クラスタ（６４ＫＢｙｔｅ）サイズである。
【０１１４】
追記型光ディスク１には、リードイン領域４と、データ領域５と、リードアウト領域６とが割り付けられる。ユーザデータの記録再生はデータ領域５に対して行われる。リードイン領域４とリードアウト領域６とは、光ヘッド（図示せず）がデータ領域５の端へアクセスする場合に、光ヘッドがオーバーランしてもトラックに追随できるようにのりしろとしての役割を果たす。
【０１１５】
図２は、本発明の実施の形態１の追記型光ディスク１のデータ構造を示す。
【０１１６】
追記型光ディスク１の領域は、リードイン領域４とデータ領域５とリードアウト領域６とに大別される。
【０１１７】
リードイン領域４は、第１の欠陥管理領域１０（以下、「ＤＭＡ１」とも記載する。）と第２の欠陥管理領域１１（以下、「ＤＭＡ２」とも記載する。）と欠陥管理作業領域群２０とを含む。
【０１１８】
ＤＭＡ１とＤＭＡ２とは、データ領域５における欠陥ブロックの情報等を管理するための領域である。
【０１１９】
データ領域５は、データを記録する領域であり、ユーザデータ領域１６とスペア領域１７とを含む。
【０１２０】
ユーザデータ領域１６は、音楽やビデオなどのリアルタイムデータや文章やデータベースなどのコンピュータデータなど、任意の情報がユーザによって記録可能な領域である。
【０１２１】
スペア領域１７は、データ領域５の交替領域であり、例えば、ユーザデータ領域１６に欠陥ブロックが検出された場合、その欠陥ブロックの代わりにデータを記録する領域である。図２に示された追記型光ディスク１のデータ構造では、スペア領域１７は、データ領域５の内周側（つまりリードイン領域側）と外周側（つまりリードアウト領域側）に１つずつ存在するが、スペア領域１７の個数や配置は任意であって、図示されたスペア領域の個数や配置に限らない。
【０１２２】
リードアウト領域６は、第３の欠陥管理領域１２（以下、「ＤＭＡ３」とも記載する。）と第４の欠陥管理領域１３（以下、「ＤＭＡ４」とも記載する。）とを含む。
【０１２３】
ＤＭＡ３とＤＭＡ４とは、データ領域５における欠陥ブロックの情報等を管理するための領域である。
【０１２４】
ＤＭＡ１〜ＤＭＡ４の各々は、所定の位置に配置される領域であり、ＤＭＡ１〜ＤＭＡ４の各々のサイズは固定長である。ＤＭＡ１〜ＤＭＡ４の各々に配置される管理情報のサイズは、例えば、欠陥ブロックの個数に応じて可変長である。
【０１２５】
ＤＭＡ１〜ＤＭＡ４の各々は、ディスク定義構造（以下、「ＤＤＳ」とも記載する。）１４と欠陥リスト（以下、「ＤＦＬ」とも記載する。）１５とを含み、ＤＤＳ１４の次に欠陥リスト１５が配置される。
【０１２６】
欠陥管理作業領域群２０は、Ｎ個（Ｎは１以上の整数）の欠陥管理作業領域（以下、「ＤＭＷＡ」とも記載する。）２１を含む。
【０１２７】
欠陥管理作業領域２１は、追記型光ディスク１をファイナライズする以前に更新された欠陥管理情報を一時的に記録するための領域であり、欠陥管理作業領域２１には、ＤＤＳ１４と欠陥リスト１５とが配置され、欠陥リスト１５の次にＤＤＳ１４が配置される。欠陥管理作業領域２１は、１つ以上のブロックを含む。ブロックは、データを記録再生する単位である。
【０１２８】
ここで、本明細書では、「追記型光ディスクをファイナライズする」とは、追記型光ディスクを追記可能な状態から追記不可能な状態に変更することである。例えば、最新の欠陥管理作業領域２１の内容をＤＭＡ１〜ＤＭＡ４に記録することによって、追記型光ディスク１を書換え型光ディスクのデータ構造と互換のあるデータ構造にすることができ、追記型光ディスク１が追記可能な状態から追記不可能な状態に変更される。ファイナライズの詳細は、後述される。
【０１２９】
欠陥管理作業領域群２０の先頭から終端の方向（追記型光ディスク１の内周から外周の方向）に沿って、少なくとも１つの欠陥管理作業領域２１（ＤＭＷＡ＃１〜ＤＭＷＡ＃Ｎ（Ｎは１以上の整数））が順に割り付けられる。欠陥管理作業領域群２０の先頭（追記型光ディスク１の内周側）の欠陥管理作業領域２１から順に欠陥情報が記録される。さらに、欠陥管理作業領域２１には、欠陥リスト１５とＤＤＳ１４とが、欠陥管理作業領域群２０の先頭から終端の方向（追記型光ディスク１の内周から外周の方向）に沿って、欠陥リスト１５、ＤＤＳ１４の順に配置される。つまり、欠陥管理作業領域２１には、ＤＭＡ１〜ＤＭＡ４の各々に配置されたＤＤＳ１４および欠陥リスト１５との配置の順番とは逆に、ＤＤＳ１４と欠陥リスト１５とが配置される。
【０１３０】
なお、欠陥管理作業領域２１を含む欠陥管理作業領域群２０は、必ずしもリードイン領域４に含まれなくともよい。ユーザデータ領域１６を除く領域、例えばリードアウト領域６またはスペア領域１７に含まれてもよい。
【０１３１】
ＤＤＳ１４は、例えば、記録済み欠陥管理作業領域と未記録欠陥管理作業領域との境界に隣接する記録済み欠陥管理作業領域に配置される。ＤＤＳ１４は、境界に隣接する記録済み欠陥管理作業領域の所定の位置に配置され、その所定の位置は、境界を基準に算出可能である。本発明の実施の形態１では、ＤＤＳ１４が記録済み欠陥管理作業領域と未記録欠陥管理作業領域との境界に隣接する記録済み欠陥管理作業領域の末尾に配置されているものとして説明を行う。
【０１３２】
なお、ＤＤＳ１４が配置される場所は、欠陥管理作業領域の末尾に限らない。ＤＤＳ１４は、記録済み欠陥管理作業領域と未記録欠陥管理作業領域との境界に隣接する記録済み欠陥管理作業領域の末尾（境界）を基準に算出可能な所定の位置に配置される
図３は、ＤＤＳ１４と欠陥リスト１５とのデータ構造を示す。
【０１３３】
ＤＤＳ１４は、欠陥リスト１５の位置情報を含む。例えば、ＤＤＳ１４は、欠陥リスト１５が配置される先頭位置の情報である欠陥リスト先頭位置情報３０とその他の情報３１とを含む。ここで、欠陥リスト先頭位置情報３０とは、例えば、アクセス可能な最小の単位であるセクタ（１セクタは２ＫＢｙｔｅのサイズ）の位置情報であるセクタアドレスである。
【０１３４】
ＤＤＳ１４は、固定長の情報であって、例えば１ブロックのサイズである。本発明の実施の形態１では、ＤＤＳ１４のサイズを１ブロックサイズとして説明を行う。なお、ＤＤＳ１４は、欠陥リスト１５の配置位置を示す情報（つまりここでは欠陥リスト先頭位置情報３０）が配置されている位置が記録済み欠陥管理作業領域と未記録欠陥管理作業領域との境界を基準に算出可能であれば、必ずしも固定長でなくとも良い。境界を基準に欠陥リストの配置位置が算出できるからである。
【０１３５】
欠陥リスト１５は、欠陥リストヘッダ３２とＭ個（Ｍは、０以上の整数）の欠陥エントリ３３とを含む。
【０１３６】
欠陥リスト１５は、欠陥リストヘッダ３２と欠陥エントリ３３とに加えて、欠陥管理情報の終端を示すアンカ等の情報をさらに含んでよい。
【０１３７】
欠陥リストヘッダ３２は、欠陥リストに含まれる欠陥エントリ３３の個数である欠陥エントリ数などを含む。
【０１３８】
欠陥エントリ３３は、データ領域に含まれる交替元の領域とスペア領域に含まれる交替先の領域との対応関係を示す対応関係情報を含む。欠陥エントリ３３は、例えば、ユーザデータ領域で検出された欠陥ブロックの位置情報と、その欠陥ブロックの交替先であるスペア領域の交替ブロック位置情報とを含む。
【０１３９】
欠陥リスト１５は、可変長の情報であって、欠陥リスト１５のサイズは、欠陥リスト１５に登録された欠陥エントリ３３の数に応じる。つまり、欠陥管理作業領域＃１〜欠陥管理作業領域＃Ｎのサイズは同一とは限らない（図２参照）。
【０１４０】
１．２．光ディスク記録再生装置１００の構成
図４は、本発明の実施の形態１の光ディスク記録再生装置１００の構成を示す。
【０１４１】
光ディスク記録再生装置１００は、Ｉ／Ｏバス１７０を介して上位制御装置（図示せず）に接続される。上位制御装置は、例えば、ホストコンピュータである。
【０１４２】
光ディスク記録再生装置１００は、上位制御装置からの命令を処理する命令処理部１１０と、追記型光ディスク１への記録時の制御を行う記録制御部１２０と、追記型光ディスク１からの再生時の制御を行う再生制御部１３０と、ＤＭＡ１〜ＤＭＡ４のうちの何れかから再生した内容もしくは欠陥管理作業領域２１から再生した内容を格納する欠陥管理情報格納バッファ１４０と、記録データおよび再生データを一時的に格納するデータバッファ１５０と、欠陥管理情報に関する処理を行う欠陥管理情報処理部１６０とを含む。
【０１４３】
欠陥管理情報処理部１６０は、欠陥管理情報読み出し部１６１と、欠陥管理情報書き込み部１６２と、欠陥管理情報制御メモリ１６３と、欠陥管理情報更新部１６４と、欠陥管理作業情報読み出し部１６５と、欠陥管理作業情報書き込み部１６６とを含む。
【０１４４】
欠陥管理情報読み出し部１６１は、ＤＭＡ１〜ＤＭＡ４のうち正常な欠陥管理領域を判断し、その欠陥管理領域に記録された内容を欠陥管理情報格納バッファ１４０に読み出す。
【０１４５】
さらに、欠陥管理情報読み出し部１６１は、追記型光ディスク１に割り付けられた複数の欠陥管理領域のうちの１つからデータを読み出し、記録済みか否かを判定し、判定結果に基づいて、追記型光ディスク１が追記可能な状態から追記不可能な状態に変更されているか否かを判定する。
【０１４６】
例えば、欠陥管理情報読み出し部１６１は、ＤＭＡ１〜ＤＭＡ４のうちの少なくとも１つからデータを読み出し、正常に再生できる場合には、追記型光ディスク１はファイナライズ済みであると判断し、ＤＭＡ１〜ＤＭＡ４の全てが未記録のために、これらの欠陥管理領域からデータを正常に再生できない場合には、追記型光ディスク１はファイナライズされていないと判断する。
【０１４７】
欠陥管理情報更新部１６４は、欠陥ブロック情報が変化した場合等に欠陥管理情報格納バッファ１４０の内容を更新して新規欠陥管理情報を作成する。
【０１４８】
欠陥管理情報書き込み部１６２は、欠陥管理情報更新部１６４によって更新された内容をＤＭＡ１〜ＤＭＡ４に書き込む。つまり、欠陥管理情報書き込み部１６２は、ファイナライズの際に、ＤＭＡ１〜ＤＭＡ４への欠陥管理情報の記録処理を行う。
【０１４９】
欠陥管理情報制御メモリ１６３は、欠陥管理情報処理部１６０の動作制御状態を記憶する。
【０１５０】
欠陥管理作業情報読み出し部１６５は、欠陥管理作業領域群２０に含まれる欠陥管理作業領域２１のうち最新に記録された欠陥管理作業領域２１をサーチし、最新に記録された欠陥管理作業領域２１に記録された内容を欠陥管理情報格納バッファ１４０に読み出す。
【０１５１】
なお、欠陥管理情報読み出し部１６１は、ＤＭＡ１〜ＤＭＡ４の各々からデータを読み出し、ファイナライズ済みか否かを判断するが、欠陥管理作業情報読み出し部１６５によっても、ファイナライズ済みか否かを判断することができる。例えば、欠陥管理作業情報読み出し部１６５は、欠陥管理作業領域２１の所定の位置にファイナライズ識別フラグが記録されているか否かに基づいて、ファイナライズ済みか否かを判断する。ファイナライズ識別フラグは、少なくとも１つの欠陥管理作業領域２１へのデータの追記の禁止を示す。
【０１５２】
なお、ファイナライズ識別フラグの記録位置は、欠陥管理作業領域２１の所定の位置に限らない。追記型光ディスク１の所定の位置に記録されていれば良い。
【０１５３】
例えば、ディスク定義構造１４および欠陥リスト１５のうちの少なくとも一方に記録されていてもよい。欠陥管理作業情報読み出し部１６５は、ディスク定義構造１４および欠陥リスト１５のうちの少なくとも一方に記録されているファイナライズ識別フラグを読み出した場合には、追記型光ディスク１がファイナライズ済みであると判断する。
【０１５４】
欠陥管理作業情報書き込み部１６６は、欠陥管理情報更新部１６４によって更新された内容を利用可能な欠陥管理作業領域２１へ書き込む。また、ファイナライズ識別フラグを欠陥管理作業領域２１へ書き込むこともできる。例えば、欠陥管理作業情報書き込み部１６６は、ディスク定義構造１４および欠陥リスト１５のうちの少なくとも一方に、ファイナライズ識別フラグが含まれるようにファイナライズ識別フラグを記録する。
【０１５５】
１．３．最新欠陥管理情報の取得
本発明の実施の形態１の追記型光ディスク１に記録された情報（記録済み欠陥管理作業領域と未記録欠陥管理作業領域との境界に隣接する記録済み欠陥管理作業領域に記録された最新の欠陥リストおよび最新のＤＤＳ）を取得（再生）する方法を以下に説明する。
【０１５６】
図５は、本発明の実施の形態１の追記型光ディスク１の記録済み欠陥管理作業領域と未記録欠陥管理作業領域との境界に隣接する記録済み欠陥管理作業領域から最新の欠陥リスト１５と最新のＤＤＳ１４とを取得する手順を示す。以下、図５を参照して記録済み欠陥管理作業領域と未記録欠陥管理作業領域との境界に隣接する記録済み欠陥管理作業領域から最新の欠陥リスト１５と最新のＤＤＳ１４とを取得する手順をステップごとに説明する。
【０１５７】
ステップ６０１：欠陥管理作業情報読み出し部１６５は、記録済み欠陥管理作業領域と未記録欠陥管理作業領域との境界の位置を探索し、境界の位置を示す境界位置情報を取得する。
【０１５８】
例えば、欠陥管理作業情報読み出し部１６５は、欠陥管理作業領域群２０の記録済み終端位置を探索し、欠陥管理情報制御メモリ１６３にある記録済み終端位置４０に、探索した記録済み終端の欠陥管理作業領域２１の位置を記憶させる。ここで、記録済み終端の欠陥管理作業領域２１の位置とは、例えば、記録済み終端のセクタの位置情報であるセクタアドレスである。探索した記録済み終端の欠陥管理作業領域２１の位置を記憶させた後、処理は、ステップ６０２に進む。なお、記録済み終端位置の探索の詳細は、後述される。
【０１５９】
ステップ６０２：欠陥管理作業情報読み出し部１６５は、境界位置情報に基づいて、最新のＤＤＳ１４を再生し、最新のＤＤＳ１４に基づいて、最新の欠陥リスト１５に関する位置情報を取得する。
【０１６０】
例えば、欠陥管理作業情報読み出し部１６５は、欠陥管理情報格納バッファ１４０に、記録済み終端位置４０を終端として１ブロックサイズで配置されている最新のＤＤＳ１４を読み出すとともに、欠陥管理情報制御メモリ１６３にある欠陥リスト先頭位置４１に、最新のＤＤＳ１４に含まれる欠陥リスト先頭位置情報３０を記憶させる。最新のＤＤＳ１４を読み出し、欠陥リスト先頭位置情報３０を記憶させた後、処理は、ステップ６０３に進む。
【０１６１】
ステップ６０３：最新の欠陥リスト１５に関する位置情報に基づいて、最新の欠陥リスト１５を再生する。
【０１６２】
例えば、欠陥管理作業情報読み出し部１６５は、欠陥リスト先頭位置４１を先頭として配置されている最新の欠陥リスト１５を欠陥管理情報格納バッファ１４０へ読み出す。最新の欠陥リスト１５を読み出した後、処理は終了する。
【０１６３】
ここで、記録済み終端位置４０が、欠陥管理作業領域群２０が全く記録されていないことを示す場合、ステップ６０２、ステップ６０３の読み出し処理を行う必要はない。読み出し処理を行う代わりに、欠陥管理情報格納バッファ１４０に、ＤＤＳ１４と、欠陥リスト１５とをあらかじめ格納しておけばよい。なお、格納されたＤＤＳ１４は、所定の値に初期化された欠陥リスト先頭位置情報３０を含み、格納された欠陥リスト１５は、欠陥リストヘッダ３２の欠陥エントリ数が初期化されている（欠陥エントリ数＝０）ために欠陥エントリ３３を持たない。
【０１６４】
なお、読み出す欠陥リスト１５のサイズは、欠陥リスト１５の先頭に位置する欠陥リストヘッダ中の欠陥エントリ数を基に算出してもよいし、欠陥リスト先頭位置からＤＤＳ１４の先頭位置を減算して求めてもよい。
【０１６５】
図６は、記録済み終端位置の探索過程を示す。図７は、記録済み終端位置の探索処理手順を示す。記録済み終端位置の探索とは、最新に記録された欠陥管理作業領域２１の探索である。
【０１６６】
以下、図６と図７とを参照して記録済み終端位置の探索処理手順をステップごとに説明する。
【０１６７】
ステップ８０１：欠陥管理作業情報読み出し部１６５は、第１の振幅検査を行う。第１の振幅検査は、欠陥管理作業領域群２０の先頭から所定ブロックおきに振幅がなくなるまで行われる。振幅がなくなった後、処理は、ステップ８０２に進む。
【０１６８】
ステップ８０２：欠陥管理作業情報読み出し部１６５は、第２の振幅検査を行う。第２の振幅検査は、振幅があった位置から振幅がなかった位置の間で、振幅がなくなる位置を検査する。振幅がなくなる位置が検査された後、処理は、ステップ８０３に進む。
【０１６９】
ステップ８０３：欠陥管理作業情報読み出し部１６５は、検査により求まった記録済み終端位置（最新に記録された欠陥管理作業領域と未記録欠陥管理作業領域の境界の位置）を取得する。記録済み終端位置を取得した後、処理は、終了する。
【０１７０】
以上の手順を実行することによって、欠陥管理作業情報読み出し部１６５は、最新に記録された欠陥管理作業領域２１の内容を読み出すことができる。
【０１７１】
なお、記録済み終端位置の探索手順は、図７を参照して説明した記録済み終端位置探索手順に限らない。例えば欠陥管理作業領域群２０の末尾から先頭に向かって振幅が生じる先頭位置を探索することによっても、記録済み終端位置の探索を実現できる。
【０１７２】
図５に示される実施の形態では、ステップ６０１が「境界の位置を探索し、境界の位置を示す境界位置情報を取得するステップ」に対応し、ステップ６０２が「境界位置情報に基づいて、最新のディスク定義構造を再生するステップ」と「最新のディスク定義構造に基づいて、最新のディスク管理情報に関する位置情報を取得するステップ」とに対応し、ステップ６０３が「最新のディスク管理情報に関する位置情報に基づいて、ディスク管理情報を再生するステップ」に対応する。
【０１７３】
しかし、追記型光ディスク１の記録済み欠陥管理作業領域と未記録欠陥管理作業領域との境界に隣接する記録済み欠陥管理作業領域から最新の欠陥リスト１５と最新のＤＤＳ１４とを取得する手順が、図５に示されるものに限定されるわけではない。追記型光ディスク１の記録済み欠陥管理作業領域と未記録欠陥管理作業領域との境界に隣接する記録済み欠陥管理作業領域から最新の欠陥リスト１５と最新のＤＤＳ１４とを取得する手順は、上述した「境界の位置を探索し、境界の位置を示す境界位置情報を取得するステップ」、「境界位置情報に基づいて、最新のディスク定義構造を再生するステップ」、「最新のディスク定義構造に基づいて、最新のディスク管理情報に関する位置情報を取得するステップ」および「最新のディスク管理情報に関する位置情報に基づいて、ディスク管理情報を再生するステップ」の機能を有する限り、任意の処理手順を有し得る。
【０１７４】
１．４．欠陥管理情報の更新
本発明の実施の形態１の追記型光ディスク１に情報（欠陥リスト１５およびＤＤＳ）を記録する方法を以下に説明する。
【０１７５】
図８は、欠陥管理作業領域群２０に含まれるＤＭＷＡ２１に欠陥リスト１５およびＤＤＳ１４が追記されていく状態を示す。
【０１７６】
状態（ａ）は、欠陥管理作業領域群２０に含まれるＤＭＷＡ＃１に、欠陥リスト１５およびＤＤＳ１４が１回目に記録された状態を示す。状態（ｂ）は、欠陥管理作業領域群２０に含まれるＤＭＷＡ＃２に、欠陥リスト１５およびＤＤＳ１４が２回目に記録された状態を示す。状態（ｃ）は、欠陥管理作業領域群２０に含まれるＤＭＷＡ＃３に、欠陥リスト１５およびＤＤＳ１４が３回目に記録された状態を示す。
【０１７７】
図８において、黒く塗りつぶされたＤＭＷＡは、欠陥リスト１５およびＤＤＳ１４が記録された記録済みＤＭＷＡを示し、白く塗りつぶされたＤＭＷＡは、まだ欠陥リスト１５およびＤＤＳ１４が記録されてない未記録ＤＭＷＡを示す。
【０１７８】
新たな欠陥リスト１５およびＤＤＳ１４は、複数の未記録ＤＭＷＡのうち、先頭に位置する未記録ＤＭＷＡに追記される。つまり、新たな欠陥リスト１５およびＤＤＳ１４は、未記録ＤＭＷＡと記録済みＤＭＷＡとの境界に隣接する未記録ＤＭＷＡに追記される。
【０１７９】
従って、最新の欠陥リスト１５とＤＤＳ１４とは、複数の記録済みＤＭＷＡの終端に隣接した記録済みＤＭＷＡに配置されていることになる。つまり、最新の欠陥リスト１５とＤＤＳ１４とは、未記録ＤＭＷＡと記録済みＤＭＷＡとの境界に隣接する記録済みＤＭＷＡに配置されている。
【０１８０】
図９は、本発明の実施の形態１の追記型光ディスク１の欠陥管理作業領域２１に欠陥リスト１５とＤＤＳ１４とを追記する処理手順を示す。
【０１８１】
欠陥管理作業情報書き込み部１６６が、新たな欠陥リスト１５とＤＤＳ１４とを欠陥管理作業領域２１に記録（追記）する。
【０１８２】
ここで、欠陥管理情報格納バッファ１４０に格納されている欠陥リスト１５は、欠陥管理情報更新部１６４によって、最新の内容に保たれている。
【０１８３】
具体的には、例えば、新規に１つの欠陥ブロックが検出された場合、欠陥管理情報更新部１６４は、欠陥管理情報格納バッファ１４０に格納されている欠陥リスト１５に新規交替ブロック（つまり新規欠陥ブロック）に相当する欠陥エントリを追加し、さらに欠陥エントリに含まれる欠陥ブロックの位置情報にしたがって、欠陥エントリのソーティングを行う。さらに欠陥管理情報更新部１６４は、欠陥リストヘッダの欠陥エントリ数を１つ増加させる。
【０１８４】
以下、図９を参照して本発明の実施の形態１の追記型光ディスク１の欠陥管理作業領域２１に欠陥リストとＤＤＳとを追記する処理手順をステップごとに説明する。
【０１８５】
ステップ９０１：欠陥管理情報更新部１６４は、記録済み欠陥管理作業領域と未記録欠陥管理作業領域との境界に隣接する未記録欠陥管理作業領域を選択する。
【０１８６】
例えば、欠陥管理情報更新部１６４は、欠陥管理情報制御メモリ１６３にある記録済み終端位置４０を１つ先へ進めた位置で、欠陥管理情報格納バッファ１４０に含まれるＤＤＳ１４を更新することによって、複数の未記録欠陥管理作業領域の先頭に位置する未記録欠陥管理作業領域を選択する。つまり、欠陥リスト先頭位置情報３０が未記録欠陥管理作業領域の先頭位置を示すようにＤＤＳ１４を更新することによって、複数の未記録欠陥管理作業領域の先頭に位置する未記録欠陥管理作業領域を選択する。ＤＤＳ１４が更新された後に、処理はステップ９０２に進む。
【０１８７】
ステップ９０２：欠陥管理作業情報書き込み部１６６は、境界に隣接する未記録欠陥管理作業領域に、追記型光ディスク１に関する管理情報である欠陥リスト１５を記録し、この記録された欠陥リスト１５に関する位置情報を含むＤＤＳ１４を境界に隣接する未記録欠陥管理作業領域に記録する。
【０１８８】
例えば、欠陥管理作業情報書き込み部１６６は、未記録領域の先頭位置に欠陥管理情報格納バッファ１４０に含まれる更新済みの欠陥リスト１５を記録し、さらに引き続いて、更新済みのＤＤＳ１４を記録する。欠陥リスト１５とＤＤＳ１４とを記録した後、処理は終了する。
【０１８９】
以上の手順を実行することによって、欠陥管理作業情報書き込み部１６６は、欠陥管理作業領域群２０に含まれる欠陥管理作業領域２１に最新の欠陥リスト１５とＤＤＳ１４とを記録することができる。
【０１９０】
なお、欠陥管理情報更新部１６４による欠陥リスト１５の更新処理は一例であり、欠陥に関する情報が反映されていればよい。例えば欠陥エントリのソーティング等は、必要とされない。
【０１９１】
なお、欠陥管理作業領域群２０に含まれる欠陥管理作業領域２１に欠陥リスト１５とＤＤＳ１４とを記録するタイミングは、装置の状態と媒体の状態とが変化する場合に記録済み欠陥管理作業領域の終端に必ずＤＤＳ１４が存在するように欠陥リスト１５とＤＤＳ１４とを記録する限りは、任意のタイミングで良い。装置の状態と媒体の状態とが変化する場合とは、例えば、追記型光ディスクを光ディスク記録再生装置１００から排出する場合や光ディスク記録再生装置１００の電源を落とす場合である。
【０１９２】
なお、欠陥リスト１５とＤＤＳ１４とを欠陥管理作業領域に記録する際に、欠陥リスト１５とＤＤＳ１４とが正常に記録できたか否かを判断してもよい。
【０１９３】
図１０は、欠陥リスト１５とＤＤＳ１４とが正常に記録できたか否かを判断しながら新たな欠陥リスト１５とＤＤＳ１４とを欠陥管理作業領域２１に記録（追記）する処理手順を示す。
【０１９４】
ここで、欠陥管理情報格納バッファ１４０に格納されている欠陥リスト１５は、欠陥管理情報更新部１６４によって、最新の内容に保たれている。
【０１９５】
以下、図１０を参照して、欠陥リスト１５とＤＤＳ１４とが正常に記録できたか否かを判断しながら新たな欠陥リスト１５とＤＤＳ１４とを欠陥管理作業領域２１に記録（追記）する処理手順をステップごとに説明する。
【０１９６】
ステップ１１０１：欠陥管理情報更新部１６４は、欠陥管理情報制御メモリ１６３にある記録済み終端位置４０を１つ先へ進めた位置で、欠陥管理情報格納バッファ１４０に含まれるＤＤＳ１４を更新する。つまり、欠陥リスト先頭位置情報３０が未記録欠陥管理作業領域の先頭位置を示すようにＤＤＳ１４を更新する。ＤＤＳ１４が更新された後に、処理はステップ１１０２に進む。
【０１９７】
ステップ１１０２：欠陥管理作業情報書き込み部１６６は、未記録欠陥管理作業領域の先頭位置に欠陥管理情報格納バッファ１４０に含まれる更新済み欠陥リスト１５を記録する。記録した後、処理はステップ１１０３に進む。
【０１９８】
ステップ１１０３：欠陥リスト１５が正常に記録されたか否かを判断する。
【０１９９】
ここで、欠陥リスト１５が正常に記録されたか否かの判断は、例えば、欠陥リスト１５を記録したブロックにエラー訂正を行うことによって、または記録されたデータを読み出して、そのデータが記録したデータと一致しているかを確かめることによって実現される。
【０２００】
欠陥リスト１５が正常に記録されなかったと判断された場合（つまり欠陥リスト１５の記録が失敗していた場合）には、処理は、ステップ１１０１に進む。ステップ１１０１では、記録済み終端位置４０を先に記録された欠陥リストのサイズ分だけ加算した値に変更する。そして、記録済み終端位置４０を１つ先に進めた位置を欠陥リスト先頭位置情報３０として、欠陥管理情報格納バッファ１４０に含まれるＤＤＳ１４を更新する。
【０２０１】
欠陥リスト１５が正常に記録されたと判断された場合（つまり欠陥リスト１５の記録が成功していた場合）には、処理は、ステップ１１０４に進む。
【０２０２】
ステップ１１０４：更新済みのＤＤＳ１４を記録する。ＤＤＳ１４を記録した後、処理は、ステップ１１０５に進む。
【０２０３】
ステップ１１０５：ＤＤＳ１４が正常に記録されたか否かを判断する。
【０２０４】
ＤＤＳ１４が正常に記録されなかったと判断された場合（つまりＤＤＳ１４の記録が失敗していた場合）には、処理は、ステップ１１０４に進む。
【０２０５】
ＤＤＳ１４が正常に記録されたと判断された場合（つまりＤＤＳ１４の記録が成功していた場合）には、処理は終了する。
【０２０６】
欠陥リスト１５の記録が正常に行われるまで、ステップ１１０２とステップ１１０３との実行を繰り返し、ＤＤＳ１４の記録が正常に行われるまで、ステップ１１０４とステップ１１０５との実行を繰り返す。
【０２０７】
以上の手順を実行することによって、欠陥管理作業領域更新部１６５は、欠陥リスト１５とＤＤＳ１４とが正常に記録できたか否かを判断しながら新たな欠陥リスト１５とＤＤＳ１４とを欠陥管理作業領域２１に記録（追記）する。
【０２０８】
なお、ステップ１１０１とステップ１１０２との順番を入れ替えてもよい。つまり、欠陥リスト１５の記録を行い、さらに記録が正常に行えたことを確認した後で、欠陥リスト１５を記録した欠陥管理作業領域２１の位置に、ＤＤＳ１４に含まれる欠陥リスト先頭位置情報３０を置き換えてもよい。
【０２０９】
なお、図１０を参照した処理手順の説明では、欠陥リスト１５とＤＤＳ１４との各々が、複数のブロックのうち、互いに異なるブロックに配置されることを前提としたが、欠陥リスト１５とＤＤＳ１４との両方が複数のブロックのうち、少なくとも１つのブロックを共有していることを前提としてもよい。
【０２１０】
欠陥リスト１５とＤＤＳ１４との両方が複数のブロックのうち、少なくとも１つのブロックを共有していることを前提とする場合には、欠陥リスト１５とＤＤＳ１４とによって共有されるブロックに欠陥リスト１５とＤＤＳ１４とを記録後に、記録が正常に行えたかどうかの確認を行う。記録に失敗していた場合には、次に記録を行う位置がＤＤＳ１４の欠陥リスト先頭位置情報３０になるように位置情報を変更し、再度欠陥リスト１５とＤＤＳ１４とによって共有されるブロックに欠陥リスト１５とＤＤＳ１４とを記録する。欠陥リスト１５とＤＤＳ１４との記録が正常に行われるまで、欠陥リスト１５とＤＤＳ１４との記録を繰り返す。
【０２１１】
したがって、欠陥管理作業領域２１に記録される欠陥リスト１５とＤＤＳ１４とのデータの信頼性を高めることができる。
【０２１２】
図１１は、図１０を参照して説明した追記手順に従って欠陥管理作業領域２１に欠陥リスト１５およびＤＤＳ１４が追記されていく状態を示す。
【０２１３】
状態（ａ）は、欠陥管理作業領域＃１（ＤＭＷＡ＃１）に欠陥ブロックが存在していたため、ＤＭＷＡ＃１への１回目の欠陥リスト１５の記録は失敗した状態を示す。引き続き欠陥リスト１５の記録を行い、欠陥リスト１５の記録が成功した場合、続けてＤＤＳ１４の記録を行う。
【０２１４】
状態（ｂ）は、ＤＭＷＡ＃２に欠陥ブロックが存在しない状態を示す。
【０２１５】
以上から、欠陥管理作業領域２１に欠陥ブロックが存在したために欠陥リスト１５とＤＤＳ１４との記録に失敗しても、欠陥リスト１５とＤＤＳ１４との記録が正常に終了するまで欠陥リスト１５とＤＤＳ１４との記録を繰り返すことによって、正しく欠陥リスト１５とＤＤＳ１４との記録を行うことができる。
【０２１６】
図９に示される実施の形態では、ステップ９０１が「記録済みディスク管理作業領域と未記録ディスク管理作業領域との境界に隣接する未記録ディスク管理作業領域を選択するステップ」に対応し、ステップ９０２が「境界に隣接する未記録ディスク管理作業領域に、追記型情報記録媒体に関する管理情報であるディスク管理情報を記録するステップ」と「ステップ（ｂ）で記録されたディスク管理情報に関する位置情報を含むディスク定義構造を前記境界に隣接する未記録ディスク管理作業領域に記録するステップ」とに対応する。
【０２１７】
しかし、本発明の実施の形態１の追記型光ディスク１の欠陥管理作業領域２１に欠陥リストとＤＤＳとを追記する処理手順が、図９に示されるものに限定されるわけではない。本発明の実施の形態１の追記型光ディスク１の欠陥管理作業領域２１に欠陥リストとＤＤＳとを追記する処理手順は、上述した「記録済みディスク管理作業領域と未記録ディスク管理作業領域との境界に隣接する未記録ディスク管理作業領域を選択するステップ」、「境界に隣接する未記録ディスク管理作業領域に、追記型情報記録媒体に関する管理情報であるディスク管理情報を記録するステップ」および「ステップ（ｂ）で記録されたディスク管理情報に関する位置情報を含むディスク定義構造を前記境界に隣接する未記録ディスク管理作業領域に記録するステップ」の機能を有する限り、任意の処理手順を有し得る。
【０２１８】
図１２は、本発明の実施の形態１の他の追記型光ディスク１のデータ構造を示す。
【０２１９】
本発明の実施の形態１の他の追記型光ディスク１には、欠陥管理作業領域群２０の終端から先頭の方向（追記型光ディスク１の外周から内周の方向）に沿って、少なくとも１つの欠陥管理作業領域２１（ＤＭＷＡ＃１〜ＤＭＷＡ＃Ｎ（Ｎは１以上の整数））が順に割り付けられる。欠陥管理作業領域群２０の終端（追記型光ディスク１の外周側）の欠陥管理作業領域２１から順にＤＤＳ１４と欠陥リスト１５とが記録される。
【０２２０】
さらに、欠陥管理作業領域２１には、ＤＭＡ１〜ＤＭＡ４の各々に配置されたＤＤＳ１４および欠陥リスト１５との配置の順番と同様に、ＤＤＳ１４と欠陥リスト１５とが配置される。欠陥管理作業領域２１には、欠陥リスト１５とＤＤＳ１４とが、欠陥管理作業領域群２０の終端から先頭の方向（追記型光ディスク１の外周から内周の方向）に沿って、欠陥リスト１５、ＤＤＳ１４の順に配置される。
【０２２１】
ＤＤＳ１４は、例えば、記録済み欠陥管理作業領域と未記録欠陥管理作業領域との境界に隣接する記録済み欠陥管理作業領域に配置される。ＤＤＳ１４は、境界に隣接する記録済み欠陥管理作業領域の先頭を基準に算出可能な所定の位置に配置される。
【０２２２】
図１２で示される本発明の実施の形態１の他の追記型光ディスク１において、最新に記録された欠陥管理作業領域を探索する場合には、光ディスク記録再生装置１００は、欠陥管理作業情報読み出し部１６５において、欠陥管理作業領域群２０の中で記録済みの先頭位置をサーチして、記録済み先頭位置にある欠陥管理作業領域２１を最新に記録されたものとする。つまり、図６において、記録済領域と未記録領域を入れ替えて、記録済み先頭位置をサーチすることになる。欠陥管理作業情報書き込み部１６６において、欠陥管理作業領域群２０の中で記録済み先頭領域より内周側の未記録欠陥管理作業領域を利用可能な欠陥管理作業領域２１とする。
【０２２３】
本発明の追記型情報記録媒体には、少なくとも１つの欠陥管理作業領域が所定の方向に沿って順に割り付けられており、最新の欠陥リストと最新のＤＤＳとは、この所定の方向に沿って、最新の欠陥リスト、最新のＤＤＳの順に、記録済み欠陥管理作業領域と未記録欠陥管理作業領域との境界に隣接する記録済み欠陥管理作業領域に配置されている。したがって、最新のＤＤＳおよび最新の欠陥リストを容易に探索することができる。
【０２２４】
以下、少なくとも１つの欠陥管理作業領域が所定の方向に沿って順に割り付けられており、最新のＤＦＬと最新のＤＤＳとは、この所定の方向に沿って、最新のＤＦＬ、最新のＤＤＳの順に、記録済み欠陥管理作業領域と未記録欠陥管理作業領域との境界に隣接する記録済み欠陥管理作業領域に配置されており、この所定の方向が、追記型光ディスク１の内周から外周の方向である場合に得られる効果について詳しく説明する。
【０２２５】
まず、ＤＭＡ１〜ＤＭＡ４の最新のＤＦＬ１５と最新のＤＤＳ１４との配置と同じように、追記型光ディスク１の外周から内周の方向に沿って、最新のＤＦＬ１５、最新のＤＤＳ１４の順に、欠陥管理作業領域２１に最新のＤＦＬ１５と最新のＤＤＳ１４とが配置されている場合を例にとって考えてみる。
【０２２６】
この場合、図８に示す欠陥管理作業領域群２０における記録済み終端位置を探索することは可能であるが、ＤＦＬ１５のサイズは欠陥エントリ数によって可変であるため、終端位置からＤＦＬ１５の先頭位置を算出することは出来ない。
【０２２７】
このデータ構造において最新のＤＦＬ１５の取得を行おうとした場合は、欠陥管理作業領域群２０の先頭のＤＤＳ１４からＤＦＬ１５の先頭位置を算出し、さらにＤＦＬ１５に含まれる欠陥エントリ数からＤＦＬ１５のサイズを算出し、次のＤＤＳ１４の位置を決定する。このＤＤＳ１４からＤＦＬ１５の先頭位置を算出し、・・・というように、順に欠陥管理作業領域群２０を辿っていく必要がある。ＤＤＳ１４の次にＤＦＬ１５を配置したデータ構造であれば、多くの時間を要してしまうため望ましくないことは明白である。又、これらＤＤＳ１４とＤＦＬ１５の中で再生できないブロックがあると最新のＤＦＬ１５の探索に支障をきたす為に信頼性も低くなるという課題も発生する。
【０２２８】
ＤＦＬ１５を固定長にすれば、最新のＤＤＳ１４と最新のＤＦＬ１５の探索に関する問題は回避できるが、欠陥管理作業領域群２０を追記できる回数が減るか、より大きな欠陥管理作業領域群２０を用意する必要が生じて、領域の使用効率が低下するという別の課題が発生する。
【０２２９】
そこで、本発明における実施の形態１の追記型光ディスク１のように、少なくとも１つの欠陥管理作業領域２１が所定の方向に沿って順に割り付けられており、最新のＤＦＬ１４と最新のＤＤＳ１５とは、この所定の方向に沿って、最新のＤＦＬ１４、最新のＤＤＳ１５の順に、記録済み欠陥管理作業領域と未記録欠陥管理作業領域との境界に隣接する記録済み欠陥管理作業領域に配置され、ＤＤＳ１４は境界を基準に算出可能な所定の位置に配置されている構成とすれば、欠陥管理作業領域２１において使用効率の良い可変サイズのＤＦＬ１５を利用でき、欠陥管理作業領域群２０中の記録済み終端位置の欠陥管理作業領域２１（つまり、境界に隣接する記録済み欠陥管理作業領域）のＤＤＳ１４に、最新のＤＦＬ１５の記録位置が記載されているので、上述した課題は解決できる。
【０２３０】
本発明の追記型情報記録媒体には、少なくとも１つの欠陥管理作業領域が所定の方向に沿って順に割り付けられており、最新の欠陥リストと最新のＤＤＳとは、この所定の方向に沿って、最新の欠陥リスト、最新のＤＤＳの順に、記録済み欠陥管理作業領域と未記録欠陥管理作業領域との境界に隣接する記録済み欠陥管理作業領域に配置され、ＤＤＳは境界を基準に算出可能な所定の位置に配置されている。したがって、最新のＤＤＳおよび最新の欠陥リストを容易に検索することができる。
【０２３１】
１．５．ファイナライズ処理
図１３は、本発明の実施の形態１におけるファイナライズ処理手順を示す。本発明の追記型光ディスク１のＤＭＡ１〜ＤＭＡ４の各々に欠陥リスト１５とＤＤＳ１４とを記録することによって、本発明の実施の形態１におけるファイナライズ処理が行われる。
【０２３２】
ここで、欠陥管理情報格納バッファ１４０に格納されている欠陥リスト１５は、欠陥管理情報更新部１６４によって、最新の内容に保たれている。
【０２３３】
以下、図１３を参照して本発明の実施の形態１におけるファイナライズ処理手順をステップごとに説明する。
【０２３４】
ステップ１００１：ＤＭＡ１〜ＤＭＡ４のうちの１つ（ＤＭＡ１）に対して、欠陥リスト１５とＤＤＳ１４とを記録する処理を開始する。
【０２３５】
ステップ１００２：欠陥管理情報更新部１６４は、境界に隣接する記録済み欠陥管理作業領域の位置を示す位置情報を少なくとも１つの欠陥管理領域のうちの１つの位置を示す位置情報に変更することによって、最新のＤＤＳ１４を最後のＤＤＳ１４に変更する。例えば、欠陥管理情報更新部１６４は、欠陥管理情報格納バッファ１４０中のＤＤＳ１４の欠陥リスト先頭位置情報３０を記録対象の欠陥管理領域（ＤＭＡ１）の欠陥リスト先頭位置情報に変更することによって、最新のＤＤＳ１４を最後のＤＤＳ１４に変更する。欠陥リスト先頭位置情報３０が変更された後、処理は、ステップ１００３に進む。
【０２３６】
ステップ１００３：欠陥管理情報書き込み部１６２は、少なくとも１つの欠陥管理領域のうちの１つに、最後の欠陥リスト１５を記録する。例えば、欠陥管理情報書き込み部１６２は、ＤＭＡ１に欠陥管理情報格納バッファ１４０中の欠陥リスト１５を記録する。欠陥リスト１５が記録された後、処理は、ステップ１００４に進む。
【０２３７】
ステップ１００４：欠陥管理情報書き込み部１６２は、最後の欠陥リスト１５に基づいて、少なくとも１つの欠陥管理領域のうちの１つに、最後のＤＤＳ１４を記録する。例えば、欠陥管理情報書き込み部１６２は、ＤＭＡ１に欠陥管理情報格納バッファ１４０中のＤＤＳ１４を記録する。ＤＤＳ１４が記録された後、処理は、ステップ１００５に進む。
【０２３８】
ステップ１００５：ＤＭＡ１〜ＤＭＡ４のうちの１つ（ＤＭＡ１）に対して、欠陥リスト１５とＤＤＳ１４とを記録する処理を終了する。記録処理が終了した後、処理は、ステップ１００１に進む。
【０２３９】
ステップ１００２からステップ１００４の処理を、残り全ての欠陥管理領域（つまり、ＤＭＡ２〜ＤＭＡ４）に対して実施する。
【０２４０】
ＤＭＡ１〜ＤＭＡ４に対して欠陥リスト１５とＤＤＳ１４とを記録する処理が終了した後、ファイナライズ処理は、終了する。
【０２４１】
なお、ステップ１００１〜ステップ１００５において、最後の欠陥リスト１５は、少なくとも１つの欠陥管理領域に配置された最新の欠陥リスト１５であり、最後のディスク定義構造１４は、最後の欠陥リスト１５に関する位置情報を含むディスク定義構造１４であり、最新の欠陥リスト１５は、一般的に、記録済み欠陥管理作業領域と未記録欠陥管理作業領域との境界に隣接する記録済み欠陥管理作業領域に記録された欠陥リスト１５であり、最新のディスク定義構造１４は、最新の欠陥リスト１５に関する位置情報を含むディスク定義構造１４である。
【０２４２】
以上の手順を実行することによって、欠陥管理情報処理部１６０は、ファイナライズのために、ＤＭＡ１〜ＤＭＡ４に最後のＤＤＳ１４および最後の欠陥リスト１５を記録することができる。
【０２４３】
図１４は、書換え型光ディスク４００とファイナライズ後の追記型光ディスクとのデータ構造の比較を示す。
【０２４４】
図１３を参照して説明したファイナライズ処理手順を実行することによって、ファイナライズ後の追記型光ディスクに配置されたＤＭＡ１〜ＤＭＡ４のデータ構造は、書換え型光ディスク４００に配置されたＤＭＡ１〜ＤＭＡ４のデータ構造と同じになるため、図２４で示された書換え型光ディスク対応の光ディスク記録再生装置２００によってファイナライズ後の追記型光ディスクが再生可能になり、再生互換を取ることが出来る。
【０２４５】
なお、ファイナライズ処理の際には、一般的に、記録済み欠陥管理作業領域と未記録欠陥管理作業領域との境界に隣接する記録済み欠陥管理作業領域に記録された欠陥リスト１５と同じ内容の情報が欠陥管理作業領域に記録される。従って、本発明の追記型光ディスクのデータ構造に対応した装置では、最新の欠陥管理作業領域２１の内容を取得すれば、ＤＭＡ１〜ＤＭＡ４の内容を取得する必要がなくなり、欠陥管理情報を取得するまでの時間を短縮することができる。ＤＭＡ１〜ＤＭＡ４へのＤＤＳ１４と欠陥リスト１５との記録が全て失敗したとしても、最新の欠陥管理作業領域２１からＤＤＳ１４と欠陥リスト１５とを取得することによって、追記型光ディスク１に記録されたデータを再生できる。
【０２４６】
以上、本発明のファイナライズ処理によれば、ファイナライズ後の追記型光ディスクのデータ構造は書換え型光ディスクのデータ構造と同じになる。その結果、書換え型光ディスク対応の光ディスク記録再生装置によってファイナライズ後の追記型光ディスクに記録されたデータを再生可能となる、つまり再生互換を取ることが可能となる。
【０２４７】
図１３に示される例では、欠陥管理情報書き込み部１６２が「少なくとも１つのディスク管理領域のうちの１つに、最後のディスク管理情報を記録する手段」および「最後のディスク管理情報に基づいて、少なくとも１つのディスク管理領域のうちの１つに、最後のディスク定義構造を記録する手段」として機能する。しかし、欠陥管理情報書き込み部１６２は、本発明の機能分担の一例を示したに過ぎない。上述した機能が達成される限り、任意の構成を有する手段を有し得る。
【０２４８】
なお、ファイナライズ識別フラグを追記型光ディスク１に記録することによっても、追記型光ディスク１をファイナライズすることができる。
【０２４９】
例えば、欠陥管理作業情報書き込み部１６６は、ディスク定義構造１４および欠陥リスト１５のうちの少なくとも一方に、ファイナライズ識別フラグが含まれるようにファイナライズ識別フラグを記録する。
【０２５０】
図１５は、本発明の実施の形態１における別のファイナライズ処理手順を示す。本発明の追記型光ディスク１にファイナライズ識別フラグが含まれるようにファイナライズ識別フラグを記録することによって、本発明の実施の形態１における別のファイナライズ処理が行われる。
【０２５１】
以下、図１５を参照して本発明の実施の形態１における別のファイナライズ処理手順をステップごとに説明する。
【０２５２】
ステップ２２０１：ファイナライズ識別フラグを追記型光ディスク１に記録する。ファイナライズ識別フラグが記録される位置は、追記型光ディスク１の所定の位置である。本発明の光ディスク記録再生装置によってファイナライズ識別フラグが読み出せる位置であれば、所定の位置は問わない。
【０２５３】
所定の位置が欠陥管理作業領域２１であれば、欠陥管理作業情報書き込み部１６６は、欠陥管理作業領域２１に配置されるディスク定義構造１４および欠陥リスト１５のうちの少なくとも一方に、ファイナライズ識別フラグが含まれるようにファイナライズ識別フラグを記録する。この場合には、欠陥管理作業情報読み出し部１６５によってファイナライズ識別フラグが読み出される。
【０２５４】
ディスク定義構造１４および欠陥リスト１５のうちの少なくとも一方にファイナライズ識別フラグが記録された後、処理は、終了する。
【０２５５】
１．６．ファイナライズ判定処理
図１６は、追記型光ディスク１が既にファイナライズされているか否かを判定するファイナライズ判定手順を示す。以下、図１６を参照して追記型光ディスク１が既にファイナライズされているか否かを判定するファイナライズ判定手順（ステップ２３０１〜ステップ２３０３）をステップごとに説明する。
【０２５６】
なお、ステップ２３０１〜ステップ２３０３において、最後の欠陥リスト１５は、少なくとも１つの欠陥管理領域に配置された最新の欠陥リスト１５であり、最後のディスク定義構造１４は、最後の欠陥リスト１５に関する位置情報を含むディスク定義構造１４であり、最新の欠陥リスト１５は、一般的に、記録済み欠陥管理作業領域と未記録欠陥管理作業領域との境界に隣接する記録済み欠陥管理作業領域に記録された欠陥リスト１５である。
【０２５７】
ステップ２３０１：欠陥管理情報読み出し部１６１は、追記型光ディスク１に割り付けられた少なくとも１つの欠陥管理領域のうちの１つを選択する。少なくとも１つの欠陥管理領域のうちの１つを選択した後、処理は、ステップ２３０２に進む。
【０２５８】
ステップ２３０２：欠陥管理情報読み出し部１６１は、追記型光ディスク１に割り付けられた少なくとも１つの欠陥管理領域のうちの１つからデータを読み出し、記録済みか否かを判定する。例えば、欠陥管理情報読み出し部１６１は、ＤＭＡ１〜ＤＭＡ４のうちの１つからデータを読み出し、読み出し結果に基づいて、ＤＭＡ１〜ＤＭＡ４のうちの１つに最後の欠陥リストと最後のＤＤＳとが記録されているか否かを判定する。
【０２５９】
データの読み出し結果を示す読み出し信号の信号振幅値が所定の閾値以上である場合には記録済みであると判定され、読み出し信号の信号振幅値が所定の閾値を超えなかった場合には、未記録であると判定される。例えば、ＤＭＡ１からデータを読み出し、読み出し結果に基づいて、記録済みか否かを判定する。
【０２６０】
読み出しの対象となるデータは、最後の欠陥リスト１５および最後のＤＤＳ１４には限られない。図６および図７を参照して説明した手順によって記録済みか否かの判断として利用しえる限り、データの内容は問わない。
【０２６１】
記録済みか否かの判定処理手順は、図６および図７を参照して説明した手順と同様であるため、その説明を省略する。なお、図６および図７を参照して説明した手順では、欠陥管理作業情報読み出し部１６５によって振幅が検査されたが、ファイナライズ判定手順では、欠陥管理情報読み出し部１６１によって振幅が検査される。
【０２６２】
なお、記録済みか否かの判定手順は、図６および図７を参照して既に説明した手順に限らない。データが正しく読み出されるか否かの検査に基づいて、記録済みか否かを判定してもよい。例えば、欠陥管理領域に記録された最後の欠陥リスト１５または最後のＤＤＳ１４が正しく読み出されるか否かの検査結果に基づいて、記録済みか否かを判定する。
【０２６３】
記録済みである場合には、追記型光ディスク１が追記可能な状態から追記不可能な状態に変更されていると判断され、処理は終了する。
【０２６４】
記録済みでない場合には、追記型光ディスク１が追記可能な状態から追記不可能な状態に変更されていないと判断され、処理は、ステップ２３０３に進む。
【０２６５】
ステップ２３０３：欠陥管理情報読み出し部１６１は、追記型光ディスク１に割り付けられた少なくとも１つの欠陥管理領域の全てが選択済みか否か判定する。
【０２６６】
全てが選択済みである場合には、追記型光ディスク１が追記可能な状態から追記不可能な状態に変更されていないと判断され、処理は終了する。
【０２６７】
選択されていない欠陥管理領域がある場合には、処理は、ステップ２３０１に進む。
【０２６８】
ＤＭＡ１〜ＤＭＡ４のうちの少なくとも１つが記録済みであると判定された場合には、追記型光ディスク１が追記可能な状態から追記不可能な状態に変更されていると判定され、ＤＭＡ１〜ＤＭＡ４の全てが未記録であると判定された場合には、追記型光ディスク１が追記可能な状態から追記不可能な状態に変更されていないと判定される。
【０２６９】
例えば、欠陥管理情報読み出し部１６１は、ＤＭＡ１〜ＤＭＡ４のうちの少なくとも１つからデータを読み出し、正常に再生できる場合には、追記型光ディスク１はファイナライズ済みであると判断し、ＤＭＡ１〜ＤＭＡ４の全てが未記録のためにこれらの欠陥管理領域からデータを正常に再生できない場合には、追記型光ディスク１はファイナライズされていないと判断する。
【０２７０】
図１６に示される実施の形態では、ステップ２３０２が「少なくとも１つのディスク管理領域のうちの１つからデータを読み出し、記録済みか否かを判定するステップ」に対応し、ステップ２３０３が「判定の結果に基づいて、追記型情報記録媒体が追記可能な状態から追記不可能な状態に変更されているか否かを判定するステップ」に対応する。
【０２７１】
しかし、追記型光ディスク１が既にファイナライズされているか否かを判定するファイナライズ判定手順が、図１６に示されるものに限定されるわけではない。追記型光ディスク１が既にファイナライズされているか否かを判定するファイナライズ判定手順は、上述した「少なくとも１つのディスク管理領域のうちの１つからデータを読み出し、記録済みか否かを判定するステップ」および「判定の結果に基づいて、追記型情報記録媒体が追記可能な状態から追記不可能な状態に変更されているか否かを判定するステップ」の機能を有する限り、任意の処理手順を有し得る。
【０２７２】
図１７は、追記型光ディスク１が既にファイナライズされているか否かを判定する別のファイナライズ判定手順を示す。以下、図１７を参照して追記型光ディスク１が既にファイナライズされているか否かを判定する別のファイナライズ判定手順をステップごとに説明する。
【０２７３】
ステップ２４０１：光ディスク記録再生装置１００によって追記型光ディスク１のデータが読み出される。例えば、欠陥管理作業情報読み出し部１６５は、記録済み欠陥管理作業領域と未記録欠陥管理作業領域との境界に隣接する記録済み欠陥管理作業領域２１のデータを読み出す。データの読み出し手順は、図５を参照して説明した手順と同様であるため、その説明を省略する。
【０２７４】
データの読み出し後、処理は、ステップ２４０２に進む。
【０２７５】
ステップ２４０２：ファイナライズ識別フラグが追記型光ディスク１に記録されているか否かを判定する。例えば、欠陥管理作業情報読み出し部１６５は、読み出したデータに基づいて、欠陥管理作業領域２１の所定の位置にファイナライズ識別フラグが記録されているか否かを判定する。なお、ファイナライズ識別フラグの記録位置は、欠陥管理作業領域２１の所定の位置に限らない。光ディスク記録再生装置１００によって読み出すことができる位置であれば、ファイナライズ識別フラグの記録位置は、追記型光ディスク１の所定の位置でよい。所定の位置は、例えば、ディスク定義構造１４および欠陥リスト１５のうちの少なくとも一方である。
【０２７６】
判定の結果に基づいて、追記型光ディスク１が追記可能な状態から追記不可能な状態に変更されているか否かが判定される。
【０２７７】
ファイナライズ識別フラグが記録されている場合には、追記型光ディスク１が追記可能な状態から追記不可能な状態に変更されていると判断され、処理は終了する。
【０２７８】
ファイナライズ識別フラグが記録されていない場合には、追記型光ディスク１が追記可能な状態から追記不可能な状態に変更されていない判断され、処理は終了する。
【０２７９】
例えば、欠陥管理作業情報読み出し部１６５は、ディスク定義構造１４および欠陥リスト１５のうちの少なくとも一方に記録されているファイナライズ識別フラグを読み出した場合には、追記型光ディスク１がファイナライズ済みであると判断する。
【０２８０】
図１７に示される実施の形態では、ステップ２４０２が「少なくとも１つのディスク管理作業領域へのデータの追記の禁止を示すファイナライズ識別フラグが、追記型情報記録媒体に記録されているか否かを判定するステップ」と「判定の結果に基づいて、追記型情報記録媒体が追記可能な状態から追記不可能な状態に変更されているか否かを判定するステップ」とに対応する。
【０２８１】
しかし、追記型光ディスク１が既にファイナライズされているか否かを判定する別のファイナライズ判定手順が、図１７に示されるものに限定されるわけではない。追記型光ディスク１が既にファイナライズされているか否かを判定する別のファイナライズ判定手順は、上述した「少なくとも１つのディスク管理作業領域へのデータの追記の禁止を示すファイナライズ識別フラグが、追記型情報記録媒体に記録されているか否かを判定するステップ」および「判定の結果に基づいて、追記型情報記録媒体が追記可能な状態から追記不可能な状態に変更されているか否かを判定するステップ」の機能を有する限り、任意の処理手順を有し得る。
【０２８２】
なお、本発明の実施の形態１において、欠陥リスト（ＤＦＬ）１５およびディスク定義構造（ＤＤＳ）１４の各々がエラー訂正の単位であるブロック単位であるとして説明を行った。ＤＤＳ１４のサイズまたはＤＦＬ１５のサイズがブロックサイズに満たない場合は、満たない部分には、意味を持たないデータ（例えば０）を記録することによって、ブロックサイズとする。
【０２８３】
なお、ＤＦＬ１５とＤＤＳ１４とは互いに異なるブロックに配置されることを前提に説明したが、ＤＤＳ１４が、境界に隣接する記録済み欠陥管理作業領域に含まれるブロックのうち、境界を基準に算出可能な所定のブロックにおける所定の位置に配置される場合には、ＤＦＬ１５とＤＤＳ１４とが１つ以上のブロックのうちの少なくとも１つのブロックを共有してもよい。例えば、ＤＦＬ１５の最後のブロックの所定の位置にＤＤＳ１４が配置されてもよい。記録終端からＤＤＳ１４の位置が一意に求まる限り、最新のＤＤＳ１４とＤＦＬ１５とを容易に検索することができる。
【０２８４】
なお、本発明の実施の形態１では、エラー訂正の単位であるブロックを再生記録および欠陥管理の単位として説明したが、例えば、アクセス可能な最小の単位であるセクタ（１セクタは２ＫＢｙｔｅのサイズ）を再生記録および欠陥管理の単位としても、本発明が適用できることは明白である。そのような変更態様は、本発明の精神ならびに適用範囲から逸脱するものでなく、同業者にとって自明な変更態様は、本発明の請求の範囲に含まれるものとする。
【０２８５】
なお、本発明の実施の形態１において、欠陥管理作業領域２１は１つの欠陥リスト１５（つまり子情報）とその位置情報を含むＤＤＳ１４（つまり親情報）とを含む例を説明したが、親情報が子情報に関する位置情報を備えている限りにおいては、子情報は１つに限らない。子情報が欠陥管理作業領域２１に複数存在しても良い。つまり親情報は、複数の子情報に関する位置情報を含んでいても良く、この場合も同様の効果を得ることができる。
【０２８６】
（実施の形態２）
２．１．光ディスクデータ構造
本発明の実施の形態２の追記型光ディスク３００のデータ構造は、欠陥管理作業領域２１（ＤＭＷＡ）を除いて、本発明の実施の形態１で説明した追記型光ディスク１のデータ構造と同じであるので、欠陥管理作業領域２１（ＤＭＷＡ）以外の説明は、ここでは省略する。
【０２８７】
図１８は、本発明の実施の形態２のＤＭＷＡのデータ構造を示す。
【０２８８】
ＤＭＷＡは、Ｍ個のブロック（Ｍは１以上の整数）を含み、Ｍ個のブロックの各々には、副欠陥リスト（以下、「ＳＤＦＬ」とも記載する。）１８と副ディスク定義構造（以下、「ＳＤＤＳ」とも記載する。）１９とが配置される。
【０２８９】
ＳＤＤＳ１９は固定サイズの情報（例えば、１セクタ（２ＫＢｙｔｅ））であり、ＳＤＤＳ１９は、ＤＭＷＡに含まれる各ブロック内の所定の位置（例えば、ブロックの末尾セクタ）に配置される。
【０２９０】
ＳＤＤＳ１９のサイズは、ディスク定義構造（ＤＤＳ）１４のサイズと同じである。
【０２９１】
なお、ＳＤＤＳ１９のサイズは、ＤＤＳ１４のサイズと同じであることに限らない。
【０２９２】
なお、ＳＤＤＳ１９が各ブロック内の所定の位置に配置される限りにおいては、ＳＤＤＳ１９は、固定長でなくとも良い。
【０２９３】
欠陥リスト（ＤＦＬ）１５のサイズとＳＤＤＳ１９のサイズとを足した結果、１ブロックサイズを越える場合に、ＳＤＤＳ１９と足し合わせたサイズが１ブロックサイズ以内に収まるようにＤＦＬ１５を分割したものがＳＤＦＬ１８である。つまり全てのＳＤＦＬ１８を組み合わせたものがＤＦＬ１５となる。
【０２９４】
また、ＳＤＦＬ１８はＤＦＬ１５を分割したものであるため、いずれかのＳＤＦＬ１８の所定の位置（例えば、ＳＤＦＬ＃１の先頭）に欠陥リストヘッダ３２が配置される。
【０２９５】
ＤＦＬ１５のサイズが可変長であるため、ＳＤＦＬ１８の個数およびサイズも可変となるが、ＳＤＦＬ１８とＳＤＤＳ１９とを足し合わせたサイズは必ず１ブロックサイズに収まる。
【０２９６】
ここで、ＳＤＦＬ１８のサイズとＳＤＤＳ１９のサイズとを足したサイズが１ブロックサイズに満たない場合には、満たない部分には意味を持たないデータ（例えば０）を記録することによって、１ブロックサイズとする。
【０２９７】
図１９は、ＳＤＤＳ１９の構造を示す。
【０２９８】
ＳＤＤＳ１９は、ＤＭＷＡ内に存在する全てのＳＤＦＬ１８の位置情報である副欠陥リスト先頭位置情報３４を含む。
【０２９９】
なお、ＳＤＤＳ１９は必ずしも全てのＳＤＦＬ１８に関する副欠陥リスト先頭位置情報３４を備えていなくても良い。例えば先頭のＳＤＦＬ１８、末尾のＳＤＦＬ１８、同じブロックを構成するＳＤＦＬ１８に関する副欠陥リスト先頭位置情報３４だけを持っていても良い。
【０３００】
２．２．光ディスク記録再生装置の構成
本発明の実施の形態２の光ディスク記録再生装置の構成は、本発明の実施の形態１の光ディスク記録再生装置１００の構成と同様であるので、ここではその説明を省略する。
【０３０１】
２．３．最新欠陥管理情報の取得
本発明の実施の形態２の追記型光ディスク３００に記録された情報（記録済み欠陥管理作業領域と未記録欠陥管理作業領域との境界に隣接する記録済み欠陥管理作業領域に記録されたＳＤＤＳおよびＳＤＦＬ）を取得（再生）する方法を以下に説明する。
【０３０２】
図２０は、欠陥管理作業領域群２０に含まれる欠陥管理作業領域２１のうち最新に記録された欠陥管理作業領域２１からＳＤＤＳ１９とＳＤＦＬ１８とを取得する手順を示す。以下、図２０を参照して最新に記録された欠陥管理作業領域２１からＳＤＤＳ１９とＳＤＦＬ１８とを取得する手順をステップごとに説明する。
【０３０３】
ステップ１９０１：欠陥管理作業情報読み出し部１６５は、記録済み欠陥管理作業領域と未記録欠陥管理作業領域との境界の位置を探索し、境界の位置を示す境界位置情報を取得する。
【０３０４】
例えば、欠陥管理作業情報読み出し部１６５は、欠陥管理作業領域群２０の記録済み終端位置を探索し、欠陥管理情報制御メモリ１６３にある記録済み終端位置４０に、探索した記録済み終端の欠陥管理作業領域２１の位置を記憶させる。探索した記録済み終端の欠陥管理作業領域２１の位置を記憶させた後、処理は、ステップ１９０２に進む。
【０３０５】
なお、記録済み終端位置の探索手順は、図６および図７を参照して本発明の実施の形態１で説明した手順と同様であるため、その説明を省略する。
【０３０６】
ステップ１９０２：欠陥管理作業情報読み出し部１６５は、境界位置情報に基づいて、境界に隣接する記録済み欠陥管理作業領域に含まれるブロックからＳＤＤＳ１９を再生し、再生されたＳＤＤＳ１９に基づいて、ＳＤＦＬ１８に関する位置情報を取得する。
【０３０７】
例えば、欠陥管理作業情報読み出し部１６５は、記録済み終端位置４０を終端として存在するブロック内の所定位置に配置されている固定長のＳＤＤＳ１９を欠陥管理情報格納バッファ１４０へ読み出すとともに、ＳＤＤＳ１９中の全ての副欠陥リスト先頭位置情報３４を欠陥管理情報制御メモリ１６３にあるＳＤＦＬ先頭位置４２に記憶する。ＳＤＤＳ１９中の全ての副欠陥リスト先頭位置情報３４を記憶した後、処理は、ステップ１９０３に進む。
【０３０８】
ステップ１９０３：欠陥管理作業情報読み出し部１６５は、ＳＤＤＳ１９に含まれるＳＤＦＬ１８に関する位置情報に基づいて、欠陥管理作業情報読み出し部１６５は、記録済み欠陥管理作業領域が正常に記録が完了した領域であるか否かを判断する。
【０３０９】
例えば、欠陥管理作業情報読み出し部１６５は、ＳＤＦＬ先頭位置４２として読み出した位置情報を用いて、読み出しを行ったＳＤＤＳ１９を含むＤＭＷＡが正常な欠陥管理作業領域か否かを判定する。
【０３１０】
例えば、ＳＤＦＬ１８に関する位置情報と記録済み欠陥管理作業領域と未記録欠陥管理作業領域との境界の位置情報とを比較することによって、欠陥管理作業情報読み出し部１６５は、記録済み欠陥管理作業領域が正常に記録が完了した領域であるか否かを判断する。
【０３１１】
具体的には、例えば、ＳＤＦＬ先頭位置４２の位置情報の中に、記録済み終端位置４０よりも大きいアドレスが存在しない場合には、読み出そうとしているＤＭＷＡは正常であると判定し、反対に記録済み終端位置４０よりも大きいアドレスが存在する場合には、読み出そうとしているＤＭＷＡは異常であると判定する。
【０３１２】
なお、上記の判定方法は一例であり、ＤＭＷＡが正常かどうかの判定方法はこれに限るものではない。
【０３１３】
記録済み欠陥管理作業領域が正常に記録が完了していない領域である場合には、ＳＤＦＬ１８に関する位置情報に基づいて、境界に隣接する記録済み欠陥管理作業領域と境界に隣接する記録済み欠陥管理作業領域に隣接する記録済み欠陥管理作業領域との境界の位置を探索する。
【０３１４】
例えば、読み出そうとしているＤＭＷＡが異常であると判定された場合には、現在読み出そうとしているＤＭＷＡよりも欠陥管理作業領域群２０の先頭側に向かって１つ前に存在している正常なＤＭＷＡ、つまり副欠陥リスト＃１先頭位置情報３４を表すＳＤＦＬ先頭位置４２の１つ前の位置を領域末尾として存在しているＤＭＷＡを読み出す。
【０３１５】
ここで現在読み出しているＤＭＷＡが異常であると判定される場合としては、例えばＤＭＷＡの更新途中で光ディスク記録再生装置１００の電源が落ち、更新が途中で止まってしまったＤＭＷＡの読み出しを行った場合や、読み出しているＤＭＷＡに傷や指紋等の欠陥が生じて読み出しに失敗する場合等がある。
【０３１６】
正常な欠陥管理作業領域であると判定された場合には、処理は、ステップ１９０４に進む。
【０３１７】
正常な欠陥管理作業領域でないと判定された場合には、処理は、ステップ１９０２に進む。
【０３１８】
ステップ１９０４：欠陥管理作業情報読み出し部１６５は、ＳＤＦＬ１８に関する位置情報に基づいて、境界に隣接する記録済み欠陥管理作業領域に含まれる複数のブロックの各々からＳＤＦＬ１８を再生する。
【０３１９】
例えば、欠陥管理作業情報読み出し部１６５は、ＳＤＦＬ先頭位置４２として読み出された位置を先頭として配置されている全てのＳＤＦＬ１８を欠陥管理情報格納バッファ１４０へ読み出す。
【０３２０】
ここで、記録済み終端位置４０が、欠陥管理作業領域群２０が全く記録されていないことを示す場合、ステップ１９０２、ステップ１９０３およびステップ１９０４の読み出し処理を行う必要はない。読み出し処理を行う代わりに、欠陥管理情報格納バッファ１４０に、ＤＤＳ１４と、欠陥リスト１５とをあらかじめ格納しておけばよい。なお、格納されたＤＤＳ１４は、所定の値に初期化された欠陥リスト先頭位置情報３０を含み、格納された欠陥リスト１５は、欠陥リストヘッダ３２の欠陥エントリ数が初期化されている（欠陥エントリ数＝０）ために欠陥エントリ３３を持たない。
【０３２１】
なお、欠陥管理情報格納バッファ１４０には、読み出した全てのＳＤＦＬ１８を組み合わせてＤＦＬ１５として保持しても良いし、読み出した状態のまま保持しておいても良いが、本発明の実施の形態では、読み出した全てのＳＤＦＬ１８を組み合わせてＤＦＬ１５として保持するものとする。
【０３２２】
図２０に示される実施の形態では、ステップ１９０１が「記録済みディスク管理作業領域と未記録ディスク管理作業領域との境界の位置を探索し、境界の位置を示す境界位置情報を取得するステップ」に対応し、ステップ１９０２が「境界位置情報に基づいて、境界に隣接する記録済みディスク管理作業領域からディスク定義構造を再生するステップ」と「ディスク定義構造に基づいて、部分ディスク管理情報に関する位置情報を取得するステップ」とに対応し、ステップ１９０４が「部分ディスク管理情報に関する位置情報に基づいて、境界に隣接する記録済みディスク管理作業領域に含まれる複数のブロックの各々から、部分ディスク管理情報を再生するステップ」に対応する。
【０３２３】
しかし、欠陥管理作業領域群２０に含まれる欠陥管理作業領域２１のうち最新に記録された欠陥管理作業領域２１からＳＤＤＳ１９とＳＤＦＬ１８とを取得する手順が、図２０に示されるものに限定されるわけではない。欠陥管理作業領域群２０に含まれる欠陥管理作業領域２１のうち最新に記録された欠陥管理作業領域２１からＳＤＤＳ１９とＳＤＦＬ１８とを取得する手順は、上述した「記録済みディスク管理作業領域と未記録ディスク管理作業領域との境界の位置を探索し、境界の位置を示す境界位置情報を取得するステップ」、「境界位置情報に基づいて、境界に隣接する記録済みディスク管理作業領域からディスク定義構造を再生するステップ」、「ディスク定義構造に基づいて、部分ディスク管理情報に関する位置情報を取得するステップ」および「部分ディスク管理情報に関する位置情報に基づいて、境界に隣接する記録済みディスク管理作業領域に含まれる複数のブロックの各々から、部分ディスク管理情報を再生するステップ」の機能を有する限り、任意の処理手順を有し得る。
【０３２４】
以上、本発明によれば、ＤＭＷＡに含まれる全てのブロックの所定位置に、ＳＤＦＬの位置情報を含むＳＤＤＳを配置することにより、そのＤＭＷＡが正常に更新されたＤＭＷＡであるか否かをＳＤＤＳ内の情報から容易に判断することができる。さらに、そのＤＭＷＡが更新に失敗していた場合でも、１つ前に存在する正常なＤＭＷＡの位置情報を容易に算出できる。
【０３２５】
２．４．欠陥管理情報の更新
本発明の実施の形態２の追記型光ディスク３００に情報（ＳＤＦＬおよびＳＤＤＳ）を記録する方法を以下に説明する。
【０３２６】
図２１は、本発明の実施の形態２の追記型光ディスク３００の欠陥管理作業領域２１にＳＤＦＬ１８とＳＤＤＳ１９とを追記する手順を示す。
【０３２７】
欠陥管理作業情報書き込み部１６６が、ＳＤＦＬ１８とＳＤＤＳ１９とを欠陥管理作業領域２１に記録（追記）する。
【０３２８】
ここで、欠陥管理情報格納バッファ１４０に格納されている欠陥リスト１５は、欠陥管理情報更新部１６４によって、最新の内容に保たれている。
【０３２９】
具体的には、例えば、新規に１つの欠陥ブロックが検出された場合、欠陥管理情報更新部１６４は、欠陥管理情報格納バッファ１４０に格納されている欠陥リスト１５に新規交替ブロック（つまり、新規欠陥ブロック）に相当する欠陥エントリを追加し、さらに欠陥エントリに含まれる欠陥ブロックの位置情報にしたがって、欠陥エントリのソーティングを行う。さらに欠陥管理情報更新部１６４は、欠陥リストヘッダの欠陥エントリ数を１つ増加させる。
【０３３０】
以下、図２１を参照して本発明の実施の形態２の追記型光ディスク３００の欠陥管理作業領域２１にＳＤＦＬ１８とＳＤＤＳ１９とを追記する手順をステップごとに説明する。
【０３３１】
ステップ２００１：欠陥管理情報更新部１６４は、欠陥管理情報格納バッファ１４０に格納されている最新のＤＦＬ１５のサイズを算出し、固定サイズであるＳＤＤＳ１９のサイズと最新のＤＦＬ１５のサイズと足したサイズが１ブロックサイズを越えるか否かを判定する。
【０３３２】
足したサイズが１ブロックサイズを越える場合には、ＤＦＬ１５を複数の副欠陥リスト１８に分割する。
【０３３３】
足したサイズが１ブロックサイズ以下である場合には、ＤＦＬ１５をそのまま副欠陥リスト１８＃１とする。
【０３３４】
１つの副欠陥リスト１８のサイズと固定サイズのＳＤＤＳ１９のサイズとを足した結果、最大で１ブロックサイズになるように、１つの副欠陥リスト１８のサイズが決められる。
【０３３５】
具体的には、光ディスク３００がＤＶＤ−ＲＡＭであり、１ブロックサイズがエラー訂正の単位である１ＥＣＣブロック（＝１６セクタ）の場合では、ＳＤＤＳ１９のサイズが１セクタであるとすると、副欠陥リスト１８のサイズは最大で１５セクタサイズとなる。
【０３３６】
ステップ２００２：欠陥管理情報更新部１６４は、記録済み欠陥管理作業領域と未記録欠陥管理作業領域との境界に隣接する未記録欠陥管理作業領域を選択する。
【０３３７】
例えば、欠陥管理情報更新部１６４は、欠陥管理情報制御メモリ１６３にある記録済み終端位置４０を１つ先へ進めた位置、つまり未記録領域の先頭位置を副欠陥リスト＃１先頭位置情報３４として欠陥管理情報格納バッファ１４０中のＳＤＤＳ１９を更新することによって、複数の未記録欠陥管理作業領域の先頭に位置する未記録欠陥管理作業領域を選択する。副欠陥リスト１８がＭ個（Ｍは２以上の整数）存在する場合には、ＳＤＤＳ１９に含まれるそれぞれの副欠陥リスト１８に対応する副欠陥リスト先頭位置情報３４を更新する。
【０３３８】
ここで、副欠陥リスト＃２先頭位置情報、・・・、副欠陥リスト＃Ｍ先頭位置情報は、副欠陥リスト＃１先頭位置情報とブロックサイズとを用いることで算出できる。具体的には、例えば、副欠陥リスト＃２先頭位置情報は、副欠陥リスト＃１先頭位置情報の示す位置から１ブロックサイズ分先へ進んだ位置として求めることが出来る。
【０３３９】
ステップ２００３：欠陥管理作業情報書き込み部１６６は、境界に隣接する未記録欠陥管理作業領域に含まれる複数のブロックの各々に、追記型光ディスクに関する管理情報である欠陥リスト１５に含まれるＳＤＦＬ１８とＳＤＦＬ１８に関する位置情報を含むＳＤＤＳ１９とを記録する。
【０３４０】
例えば、欠陥管理作業情報書き込み部１６６は、未記録領域の先頭位置から順に、欠陥管理情報格納バッファ１４０中の更新済みのＳＤＦＬ１８と更新済みのＳＤＤＳ１９とを記録する。ＳＤＦＬ１８がＭ個存在する場合には、更新済みのＳＤＦＬ１８と更新済みのＳＤＤＳ１９との記録をＳＤＦＬの個数分、つまりＭ回繰り返して行う。
【０３４１】
ここで、ＳＤＤＳ１９が全てのＳＤＦＬ１８に関する副欠陥リスト先頭位置情報３４を含む場合、ＳＤＦＬ１８とあわせて記録するＳＤＤＳ１９の内容は、全てのＳＤＦＬ１８に対して同じものとなる。しかし、例えばＳＤＤＳ１９が、先頭のＳＤＦＬ１８に関する副欠陥リスト先頭位置情報３４と、末尾のＳＤＦＬ１８に関する副欠陥リスト先頭位置情報３４と、同じブロックを構成するＳＤＦＬ１８に関する副欠陥リスト先頭位置情報３４とを含む場合には、それぞれのＳＤＤＳ１９において、同じブロックを構成するＳＤＦＬ１８に関する副欠陥リスト先頭位置情報３４だけが違う内容となる。
【０３４２】
なお、本発明の実施の形態２においても、本発明の実施の形態１において、図１０を参照して説明したように、記録が正常に行えたかどうかの確認を行いながらＳＤＦＬ１８とＳＤＤＳ１９とを記録しえる。本発明の実施の形態２において、記録が正常に行えたかどうかの確認を行いながらＳＤＦＬ１８とＳＤＤＳ１９とを記録する場合には、ＳＤＦＬ１８とＳＤＤＳ１９との記録が正常に行われるまで、ステップ２００３の実行を繰り返す。
【０３４３】
なお、本発明の実施の形態１において、図１０を参照して説明したように、記録が正常に行えたかどうかの確認を行いながらＤＭＷＡの更新を行うような場合には、途中に欠陥ブロックが存在すると、先に記録したブロックのＳＤＤＳ１９が示す副欠陥リスト先頭位置情報３４と、実際に副欠陥リスト１８の記録を行う位置とに不整合が生じる可能性がある。しかし、このような場合にも、その都度欠陥管理情報格納バッファ１４０中のＳＤＤＳ１９の内容を更新し、最新に記録したブロック（つまり記録済み終端位置に存在するブロック）におけるＳＤＤＳ１９の内容が正しい内容となるようにすることで整合を取ることが出来るので問題ない。
【０３４４】
以上の手順を実行することによって、欠陥管理作業情報書き込み部１６６は、欠陥管理作業領域群２０に含まれる欠陥管理作業領域２１に最新の欠陥リスト１５とＤＤＳ１４とを記録することができる。
【０３４５】
図２１に示される実施の形態では、ステップ２００２が「記録済みディスク管理作業領域と未記録ディスク管理作業領域との境界に隣接する未記録ディスク管理作業領域を選択するステップ」に対応し、ステップ２００３が「境界に隣接する未記録ディスク管理作業領域に含まれる複数のブロックの各々に、追記型情報記録媒体に関する管理情報であるディスク管理情報に含まれる部分ディスク管理情報を記録するステップ」と「境界に隣接する未記録ディスク管理作業領域に含まれる複数のブロックの各々に、部分ディスク管理情報に関する位置情報を含むディスク定義構造を記録するステップ」とに対応する。
【０３４６】
しかし、本発明の実施の形態２の追記型光ディスク３００の欠陥管理作業領域２１にＳＤＦＬ１８とＳＤＤＳ１９とを追記する手順が、図２１に示されるものに限定されるわけではない。本発明の実施の形態２の追記型光ディスク３００の欠陥管理作業領域２１にＳＤＦＬ１８とＳＤＤＳ１９とを追記する手順は、上述した「記録済みディスク管理作業領域と未記録ディスク管理作業領域との境界に隣接する未記録ディスク管理作業領域を選択するステップ」、「境界に隣接する未記録ディスク管理作業領域に含まれる複数のブロックの各々に、追記型情報記録媒体に関する管理情報であるディスク管理情報に含まれる部分ディスク管理情報を記録するステップ」および「境界に隣接する未記録ディスク管理作業領域に含まれる複数のブロックの各々に、部分ディスク管理情報に関する位置情報を含むディスク定義構造を記録するステップ」の機能を有する限り、任意の処理手順を有し得る。
【０３４７】
２．５．ファイナライズ処理
本発明の実施の形態２のファイナライズ処理手順は、本発明の実施の形態１のファイナライズ処理手順と同様であるので、ここではその説明を省略する。なお、本発明の実施の形態２のファイナライズ処理手順は、本発明の実施の形態２のＳＤＤＳ１９に含まれる副欠陥リスト先頭位置情報３４を本発明の実施の形態１のＤＤＳ１４に含まれる欠陥リスト先頭位置情報３０とすることによって、本発明の実施の形態１のファイナライズ処理手順を適用する。
【０３４８】
２．６．ファイナライズ判定処理
本発明の実施の形態２のファイナライズ判定処理手順は、本発明の実施の形態１のファイナライズ判定処理手順と同様であるので、ここではその説明を省略する。
【０３４９】
以上、本発明によれば、欠陥管理作業領域２１の更新途中に電源が切れる等の原因で更新が途中で終わった場合でも、更新に失敗したという事実を誤ることなく判定できるとともに、更新に失敗した欠陥管理作業領域２１の先頭位置を容易に検索できる。したがって、最新の正常な欠陥管理作業領域２１中の欠陥リスト１５を容易に取得することができる。
【０３５０】
なお、本発明の実施の形態２では、エラー訂正の単位であるブロックを再生記録および欠陥管理の単位として説明したが、例えば、アクセス可能な最小の単位であるセクタ（１セクタは２ＫＢｙｔｅのサイズ）を再生記録および欠陥管理の単位としても、本発明が適用できることは明白である。そのような変更態様は、本発明の精神ならびに適用範囲から逸脱するものでなく、同業者にとって自明な変更態様は、本発明の請求の範囲に含まれるものとする。
【０３５１】
なお、本発明の実施の形態１および２において、欠陥管理作業領域２１に欠陥リスト１５または副欠陥リスト１８（つまり子情報）とその位置情報を含むＤＤＳ１４またはＳＤＤＳ１９（つまり親情報）とが配置される例を説明したが、配置される情報は、欠陥リスト１５または副欠陥リスト１８とＤＤＳ１４またはＳＤＤＳ１９とに限らない。
【０３５２】
例えば、配置される情報が、ディスクに関する管理情報であるディスク管理情報とディスク管理情報に関する位置情報を含むディスク定義構造である場合には、少なくとも１つの欠陥管理作業領域が所定の方向に沿って順に割り付けられており、最新のディスク管理情報と最新のディスク定義構造とが、この所定の方向に沿って、最新のディスク管理情報、最新のディスク定義構造の順に、記録済みディスク管理作業領域と未記録欠陥管理作業領域との境界に隣接する記録済みディスク管理作業領域に配置されていれば、最新のディスク管理情報を容易に検索することが可能となり、本発明の効果を得ることができる。
【０３５３】
例えば、配置される情報が、交替リストと交替リストに関する位置情報を含むＤＤＳであってもよい。交替リストは、データ領域に含まれる交替元の領域とスペア領域に含まれる交替先の領域との対応関係を示す対応関係情報を含む。
【０３５４】
なお、本発明の実施の形態１および２において、欠陥管理作業領域２１に欠陥リスト１５または副欠陥リスト１８（つまり子情報）とその位置情報を含むＤＤＳ１４またはＳＤＤＳ１９（つまり親情報）とが配置される例を説明したが、親情報が子情報に関する位置情報を備えている限りにおいては、子情報は１つに限らない。子情報が欠陥管理作業領域２１に複数存在しても良い。つまり親情報は、複数の子情報に関する位置情報を含んでいても良い。また複数の子情報は必ずしも同種類の情報でなくとも良い。
【０３５５】
図２２は、子情報としてスペースビットマップ情報と欠陥リストとが配置される欠陥管理作業領域の例を示す。
【０３５６】
欠陥管理作業領域２１には、子情報として先に説明したスペースビットマップ情報と欠陥リストとが配置され、親情報であるＤＤＳがこれら２つの子情報に関する位置情報を含んでも良い。この場合も、子情報の位置情報を示すＤＤＳ（つまり親情報）が記録済み欠陥管理作業領域と未記録欠陥管理作業領域との境界（記録済み欠陥管理作業領域の終端または記録済み欠陥管理作業領域の先頭）を基準に算出可能な所定の位置に存在していれば、最新の子情報を容易に検索することが可能となり、本発明の効果をえることができる。
【０３５７】
なお、図１０および図１１を参照して説明したように記録済みの欠陥管理作業領域２１中に欠陥ブロックが存在するような場合、図６および図７を参照して説明した手順で記録済み終端位置を探索するだけでは、欠陥ブロックを未記録領域と誤判定してしまう可能性が考えられる。そこで、図６および図７を参照して説明した手順で探索した記録済み終端位置情報と保持されている情報とを比較し、正しい未記録領域の先頭位置かどうかを判定する等の方法を用いることで、誤判定を避けることが可能となる。ここで、保持されている情報とは、例えば、媒体上の所定の位置や光ディスク記録再生装置内の（不揮発性）メモリに保持されている前回の欠陥管理作業領域群２０への記録時の記録済み終端位置情報（ＬＲＡ）や欠陥ブロックの位置情報等である。
【０３５８】
なお、本発明の説明において、情報記録媒体として追記型光ディスクを用いて説明を行ったが、情報記録媒体は必ずしも追記型光ディスクでなくとも、追記型の情報記録媒体であれば良く、その場合にも本発明と同様の効果を得ることができる。
【０３５９】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【符号の説明】
【０３６０】
１ 追記型光ディスク
４ リードイン領域
５ データ領域
６ リードアウト領域
１０ 第１の欠陥管理領域
１１ 第２の欠陥管理領域
１２ 第３の欠陥管理領域
１３ 第４の欠陥管理領域
１４ ディスク定義構造
１５ 欠陥リスト
１６ ユーザデータ領域
１７ スペア領域
２０ 欠陥管理作業領域群
２１ 欠陥管理作業領域
【図１】
2010244684.tif 000003
【図２】
2010244684.tif 000004
【図３】
2010244684.tif 000005
【図４】
2010244684.tif 000006
【図５】
2010244684.tif 000007
【図６】
2010244684.tif 000008
【図７】
2010244684.tif 000009
【図８】
2010244684.tif 000010
【図９】
2010244684.tif 000011
【図１０】
2010244684.tif 000012
【図１１】
2010244684.tif 000013
【図１２】
2010244684.tif 000014
【図１３】
2010244684.tif 000015
【図１４】
2010244684.tif 000016
【図１５】
2010244684.tif 000017
【図１６】
2010244684.tif 000018
【図１７】
2010244684.tif 000019
【図１８】
2010244684.tif 000020
【図１９】
2010244684.tif 000021
【図２０】
2010244684.tif 000022
【図２１】
2010244684.tif 000023
【図２２】
2010244684.tif 000024
【図２３】
2010244684.tif 000025
【図２４】
2010244684.tif 000026